(57)【特許請求の範囲】
【請求項１】
ネットワーク名を表示するための方法であって、
第1のネットワーク内の第1のモビリティ管理デバイスによって、第1のネットワーク名情報を獲得するステップであって、前記第1のネットワーク名情報が、ユーザ機器(UE)上に現在表示されているネットワーク名、および/または前記UE上に現在表示されている前記ネットワーク名に対応するパブリック・ランド・モバイル・ネットワーク・アイデンティティ(PLMN ID)であり、前記第1のネットワークが、前記UEが現在登録しているネットワークまたは前記UEが現在共同で登録している2つのネットワークのうちのネットワークであるステップと、
前記UEが、サービスを実行するプロセス中に第2のネットワークに切り替わった場合、前記第1のモビリティ管理デバイスによって、前記第2のネットワーク内の第2のモビリティ管理デバイスに前記UEに表示されるべきネットワーク名に対応する前記第1のネットワーク名情報を送るステップとを含む方法。
【請求項２】
前記第2のネットワークが2Gネットワークであり、前記第1のネットワーク名情報を前記第2のネットワーク内の第2のモビリティ管理デバイスに送る前記ステップの後、前記方法が、前記第1のモビリティ管理デバイスによって、前記第2のネットワーク内の第3のモビ
リティ管理デバイスに、第2のネットワーク名情報を前記UEへ送らないよう命令するステップであって、前記第2のネットワーク名情報が、任意のネットワーク名および/または前記任意のネットワーク名に対応するPLMN IDであり、前記第3のモビリティ管理デバイスが、前記2Gネットワーク内の回線交換ドメインのモビリティ管理デバイスであり、前記第2のモビリティ管理デバイスが、前記2Gネットワーク内のパケット交換ドメインのモビリティ管理デバイスであり、または、前記第3のモビリティ管理デバイスが、前記2Gネットワーク内の前記パケット交換ドメインのモビリティ管理デバイスであり、前記第2のモビリティ管理デバイスが、前記2Gネットワーク内の前記回線交換ドメインのモビリティ管理デバイスであるステップをさらに含み、あるいは
前記第2のネットワークが3Gネットワークであり、前記第1のネットワーク名情報を前記第2のネットワーク内の第2のモビリティ管理デバイスに送る前記ステップの後、前記方法が、前記第1のモビリティ管理デバイスによって、前記第2のネットワーク内の第3のモビリティ管理デバイスに、第2のネットワーク名情報を前記UEへ送らないよう命令するステップであって、前記第2のネットワーク名情報が、任意のネットワーク名および/または前記任意のネットワーク名に対応するPLMN IDであり、前記第3のモビリティ管理デバイスが、前記3Gネットワーク内の回線交換ドメインのモビリティ管理デバイスであり、前記第2のモビリティ管理デバイスが、前記3Gネットワーク内のパケット交換ドメインのモビリティ管理デバイスであり、または、前記第3のモビリティ管理デバイスが、前記3Gネットワーク内の前記パケット交換ドメインのモビリティ管理デバイスであり、前記第2のモビリティ管理デバイスが、前記3Gネットワーク内の前記回線交換ドメインのモビリティ管理デバイスであるステップをさらに含む、請求項1に記載の方法。
【請求項３】
前記第1のモビリティ管理デバイスによって、前記第2のネットワーク内の第3のモビリティ管理デバイスに、第2のネットワーク名情報を前記UEへ送らないよう命令する前記ステップが、
前記第1のモビリティ管理デバイスによって、要求メッセージを使って、前記第3のモビリティ管理デバイスに、前記第2のネットワーク名情報を前記UEへ送らないよう命令するステップであって、前記要求メッセージが指示情報を含み、前記指示情報が、前記第3のモビリティ管理デバイスに、前記第2のネットワーク名情報を前記UEへ送らないよう命令するのに使われるステップを含む、請求項2に記載の方法。
【請求項４】
前記UEが、サービスを実行するプロセス中に、第2のネットワークに切り替わることが、
回線交換フォールバック(CSFB)サービスを実行して、前記UEが、前記第1のネットワークから前記第2のネットワークにフォールバックできるようにすることを含む、請求項1から3のいずれか一項に記載の方法。
【請求項５】
前記サービスがCSFBサービスであり、要求メッセージが位置更新要求メッセージまたはサービス要求メッセージであり、前記第1のネットワークがロングタームエボリューションネットワークであり、前記第1のモビリティ管理デバイスが第1のモビリティ管理エンティティ(MME)であり、前記第2のモビリティ管理デバイスが第2のサービングGPRSサポートノード(SGSN)であり、第3のモビリティ管理デバイスが第2のモバイル交換センターサーバMSC serverであり、または
前記サービスがCSFBサービスであり、前記要求メッセージがコンテキスト要求メッセージまたはハンドオーバ要求メッセージであり、前記第1のモビリティ管理デバイスが第1のMMEであり、前記第2のモビリティ管理デバイスが第2のMSC serverであり、前記第3のモビリティ管理デバイスが第2のSGSNであり、または
前記サービスがボイスサービスであり、前記要求メッセージがハンドオーバメッセージであり、前記第1のモビリティ管理デバイスが第1のMMEであり、前記第2のモビリティ管理デバイスが第2のSGSNであり、前記第3のモビリティ管理デバイスが第2のMSC serverであ
り、または
前記サービスがボイスサービスであり、前記要求メッセージがハンドオーバメッセージであり、前記第1のモビリティ管理デバイスが第1のSGSNであり、前記第2のモビリティ管理デバイスが第2のMMEであり、前記第3のモビリティ管理デバイスが第2のMSC serverであり、または
前記サービスがボイスサービスであり、前記要求メッセージがパケット交換-回線交換PS to CSハンドオーバメッセージであり、前記第1のモビリティ管理デバイスが第1のMMEであり、前記第2のモビリティ管理デバイスが第2のMSC serverであり、前記第3のモビリティ管理デバイスが第2のMMEであり、または
前記サービスがボイスサービスであり、前記要求メッセージがPS to CSハンドオーバメッセージであり、前記第1のモビリティ管理デバイスが第1のMMEであり、前記第2のモビリティ管理デバイスが第2のSGSNであり、前記第3のモビリティ管理デバイスが第2のMSC serverである、請求項3または4に記載の方法。
【請求項６】
第1のネットワーク内の第1のモビリティ管理デバイスによって、第1のネットワーク名情報を獲得する前記ステップが、前記第1のモビリティ管理デバイスによって、第1の構成を使って、前記第1のネットワーク名情報を獲得するステップを含み、前記第1の構成が、所定のネットワーク名および/または前記所定のネットワーク名に対応するPLMN IDであり、前記第1の構成が前記UEの第2の構成と同じであり、前記UEが、前記UEの前記第2の構成に従ってネットワーク名を表示し、または
第1のネットワーク内の第1のモビリティ管理デバイスによって、第1のネットワーク名情報を獲得する前記ステップの前に、前記方法が、前記第1のモビリティ管理デバイスによって、前記UEに、前記UE上に現在表示されている前記ネットワーク名を送るステップをさらに含み、第1のモビリティ管理デバイスによって、第1のネットワーク名情報を獲得する前記ステップが、前記第1のモビリティ管理デバイスによって送られた、前記ネットワーク名に対応する前記第1のネットワーク名情報を、前記第1のモビリティ管理デバイスによって獲得するステップを含む、請求項1から5のいずれか一項に記載の方法。
【請求項７】
ネットワーク名を表示するための方法であって、
ユーザ機器(UE)が、前記UEが第1のネットワーク内でサービスを実行するプロセス中に、第1のネットワークから第2のネットワークに切り替わった場合、前記第1のネットワーク内の第1のモビリティ管理デバイスによって送られたネットワーク名情報を、前記第2のネットワーク内の第2のモビリティ管理デバイスによって受信するステップであって、前記ネットワーク名情報が、前記UE上で現在表示されているネットワーク名、および/または前記UE上で現在表示されている前記ネットワーク名に対応するパブリック・ランド・モバイル・ネットワーク・アイデンティティ(PLMN ID)であるステップと、
前記第2のモビリティ管理デバイスによって、前記ネットワーク名情報に対応する前記ネットワーク名を、表示するために前記UEに送るステップとを含む方法。
【請求項８】
前記サービスが回線交換フォールバック(CSFB)サービスであり、第2のモビリティ管理デバイスによって、第1のモビリティ管理デバイスによって送られたネットワーク名情報を受信する前記ステップが、
前記第2のモビリティ管理デバイスによって、更新要求メッセージまたはサービス要求メッセージを使って、前記第1のモビリティ管理デバイスによって送られた前記ネットワーク名情報を受信するステップであって、前記第1のモビリティ管理デバイスが第1のモビリティ管理エンティティ(MME)であり、前記第2のモビリティ管理デバイスが第2のモバイル交換センターサーバ(MSC)serverであるステップ、または
前記第2のモビリティ管理デバイスによって、識別送付メッセージを使って、前記第1のモビリティ管理デバイスによって送られた前記ネットワーク名情報を受信するステップであって、前記第1のモビリティ管理デバイスが第1のMSC serverであり、前記第2のモビリ
ティ管理デバイスが第2のMSC serverであるステップを含む、請求項7に記載の方法。
【請求項９】
前記サービスがボイスサービスであり、
第2のモビリティ管理デバイスによって、第1のモビリティ管理デバイスによって送られたネットワーク名情報を受信する前記ステップが、
前記第2のモビリティ管理デバイスによって、ハンドオーバメッセージを使って前記ネットワーク名情報を受信するステップを含む、請求項7に記載の方法。
【請求項１０】
前記第2のモビリティ管理デバイスによって、ハンドオーバメッセージを使って前記ネットワーク名情報を受信する前記ステップが、
前記第2のモビリティ管理デバイスによって、パケット交換-回線交換(PS to CS)ハンドオーバメッセージを使って前記ネットワーク名情報を受信するステップであって、前記第1のネットワークが第1のパケット交換ドメインネットワークであり、前記第2のネットワークが第2の回線交換ドメインネットワークであるステップ、または
前記第2のモビリティ管理デバイスによって、回線交換-パケット交換(CS to PS)ハンドオーバメッセージを使って前記ネットワーク名情報を受信するステップであって、前記第1のネットワークが第1の回線交換ドメインネットワークであり、前記第2のネットワークが第2のパケット交換ドメインネットワークであるステップ、または
前記第2のモビリティ管理デバイスによって、回線交換-回線交換(CS to CS)ハンドオーバメッセージを使って前記ネットワーク名情報を受信するステップであって、前記第1のネットワークが第1の回線交換ドメインネットワークであり、前記第2のネットワークが第2の回線交換ドメインネットワークであるステップを含む、請求項8または9に記載の方法。
【請求項１１】
第1のネットワーク内の第1のモビリティ管理デバイスであり、
第1のネットワーク名情報を獲得するように構成されたプロセッサであって、前記第1のネットワーク名情報が、ユーザ機器(UE)上に現在表示されているネットワーク名、および/または前記UE上に現在表示されている前記ネットワーク名に対応するパブリック・ランド・モバイル・ネットワーク・アイデンティティ(PLMN ID)であり、前記第1のネットワークが、前記UEが現在登録しているネットワークまたは前記UEが現在共同で登録している2つのネットワークのうちのネットワークであるプロセッサと、
前記UEが、サービスを実行するプロセス中に第2のネットワークに切り替わった場合、前記UE上に表示されるべきネットワーク名に対応し、前記プロセッサによって獲得された前記第1のネットワーク名情報を、前記第2のネットワーク内の第2のモビリティ管理デバイスに送るように構成される送信機とを備えるネットワークデバイス。
【請求項１２】
前記第2のネットワークが2Gネットワークであり、前記送信機が、前記第2のネットワーク内の第2のモビリティ管理デバイスへの、前記第1のネットワーク名情報の送付の後、前記第2のネットワーク内の第3のモビリティ管理デバイスに、第2のネットワーク名情報を前記UEへ送らないよう命令するようにさらに構成され、前記第2のネットワーク名情報が、任意のネットワーク名および/または前記任意のネットワーク名に対応するPLMN IDであり、前記第3のモビリティ管理デバイスが、前記2Gネットワーク内の回線交換ドメインのモビリティ管理デバイスであり、前記第2のモビリティ管理デバイスが、前記2Gネットワーク内のパケット交換ドメインのモビリティ管理デバイスであり、または、前記第3のモビリティ管理デバイスが、前記2Gネットワーク内の前記パケット交換ドメインのモビリティ管理デバイスであり、前記第2のモビリティ管理デバイスが、前記2Gネットワーク内の前記回線交換ドメインのモビリティ管理デバイスであり、または
前記第2のネットワークが3Gネットワークであり、前記送信機が、前記第2のネットワーク内の第2のモビリティ管理デバイスへの、前記第1のネットワーク名情報の送付の後、前記第2のネットワーク内の第3のモビリティ管理デバイスに、第2のネットワーク名情報を
前記UEへ送らないよう命令するようにさらに構成され、前記第2のネットワーク名情報が、任意のネットワーク名および/または前記任意のネットワーク名に対応するPLMN IDであり、前記第3のモビリティ管理デバイスが、前記3Gネットワーク内の回線交換ドメインのモビリティ管理デバイスであり、前記第2のモビリティ管理デバイスが、前記3Gネットワーク内のパケット交換ドメインのモビリティ管理デバイスであり、または、前記第3のモビリティ管理デバイスが、前記3Gネットワーク内の前記パケット交換ドメインのモビリティ管理デバイスであり、前記第2のモビリティ管理デバイスが、前記3Gネットワーク内の前記回線交換ドメインのモビリティ管理デバイスである、請求項11に記載のネットワークデバイス。
【請求項１３】
前記送信機が、以下のようにして、前記第2のネットワーク内の前記第3のモビリティ管理デバイスに、前記第2のネットワーク名情報を前記UEへ送らないよう命令するように構成され、すなわち、要求メッセージを使って、前記第3のモビリティ管理デバイスに、前記第2のネットワーク名情報を前記UEへ送らないよう命令し、前記要求メッセージが指示情報を含み、前記指示情報が、前記第3のモビリティ管理デバイスに、前記第2のネットワーク名情報を前記UEへ送らないよう命令するのに使われる、請求項12に記載のネットワークデバイス。
【請求項１４】
前記送信機が、前記指示情報を搬送する前記要求メッセージを送るように構成され、前記指示情報が、前記第3のモビリティ管理デバイスに、前記UEへ、発展型ユニバーサルモバイル通信システム地上無線アクセスネットワーク(E-UTRAN)モビリティ管理情報(EMM)informationメッセージ、または汎用パケット無線サービス(GPRS)モビリティ管理情報(GMM)informationメッセージもしくはモビリティ管理情報MM informationメッセージを送らないよう命令するのに使われる、請求項13に記載のネットワークデバイス。
【請求項１５】
前記サービスがCSFBサービスであり、前記要求メッセージが位置更新要求メッセージまたはサービス要求メッセージであり、前記第1のネットワークがロングタームエボリューションネットワークであり、前記第1のモビリティ管理デバイスが第1のモビリティ管理エンティティ(MME)であり、前記第2のモビリティ管理デバイスが第2のサービングGPRSサポートノード(SGSN)であり、前記第3のモビリティ管理デバイスが第2のモバイル交換センターサーバMSC serverであり、または
前記サービスがCSFBサービスであり、前記要求メッセージがコンテキスト要求メッセージまたはハンドオーバ要求メッセージであり、前記第1のモビリティ管理デバイスが第1のMMEであり、前記第2のモビリティ管理デバイスが第2のMSC serverであり、前記第3のモビリティ管理デバイスが第2のSGSNであり、または
前記サービスがボイスサービスであり、前記要求メッセージがハンドオーバメッセージであり、前記第1のモビリティ管理デバイスが第1のMMEであり、前記第2のモビリティ管理デバイスが第2のSGSNであり、前記第3のモビリティ管理デバイスが第2のMSC serverであり、または
前記サービスがボイスサービスであり、前記要求メッセージがハンドオーバメッセージであり、前記第1のモビリティ管理デバイスが第1のSGSNであり、前記第2のモビリティ管理デバイスが第2のMMEであり、前記第3のモビリティ管理デバイスが第2のMSC serverであり、または
前記サービスがボイスサービスであり、前記要求メッセージがパケット交換-回路交換PS to CSハンドオーバメッセージであり、前記第1のモビリティ管理デバイスが第1のMMEであり、前記第2のモビリティ管理デバイスが第2のMSC serverであり、前記第3のモビリティ管理デバイスが第2のMMEであり、または
前記サービスがボイスサービスであり、前記要求メッセージがPS to CSハンドオーバメッセージであり、前記第1のモビリティ管理デバイスが第1のMMEであり、前記第2のモビリティ管理デバイスが第2のSGSNであり、前記第3のモビリティ管理デバイスが第2のMSC serverである、請求項13または14に記載のネットワークデバイス。
【請求項１６】
前記ネットワークデバイスがメモリをさらに備え、
前記メモリが、第1の構成を記憶するように構成され、前記第1の構成が、所定のネットワーク名および/または前記所定のネットワーク名に対応するPLMN IDであり、前記第1の構成が前記UEの第2の構成と同じであり、前記UEが、前記UEの前記第2の構成に従ってネットワーク名を表示し、プロセッサが、以下のようにして、前記第1のネットワーク名情報を獲得するように構成され、すなわち、前記メモリによって記憶されている前記第1の構成に対応する前記第1のネットワーク名情報を獲得し、または
前記送信機が、前記UEに、前記UE上に現在表示されている前記ネットワーク名を送るようにさらに構成され、前記メモリが、前記送信機によって送られた前記ネットワーク名を記憶するように構成され、前記プロセッサが、以下のようにして、前記第1のネットワーク名情報を獲得するように構成され、すなわち、前記メモリによって記憶されている前記ネットワーク名に対応する前記第1のネットワーク名情報を獲得する、請求項11から15のいずれか一項に記載のネットワークデバイス。
【請求項１７】
第2のネットワーク内の第2のモビリティ管理デバイスであり、
第1のネットワーク内でサービスを実行するプロセス中に、ユーザ機器(UE)が、第1のネットワークから前記第2のネットワークに切り替わった場合、前記第1のネットワーク内の第1のモビリティ管理デバイスによって送られたネットワーク名情報を受信するように構成された受信機であって、前記ネットワーク名情報が、前記UE上に現在表示されているネットワーク名、および/または前記UE上に現在表示されている前記ネットワーク名に対応するパブリック・ランド・モバイル・ネットワーク・アイデンティティ(PLMN ID)である受信機と、
受信機によって受信された前記ネットワーク名情報に対応する前記ネットワーク名を、表示するために前記UEに送るように構成された送信機とを備えるネットワークデバイス。
【請求項１８】
前記サービスが回線交換フォールバック(CSFB)サービスであり、前記受信機が、以下のようにして、前記第1のモビリティ管理デバイスによって送られた前記ネットワーク名情報を受信するように構成され、すなわち
更新要求メッセージまたはサービス要求メッセージを使って、前記第1のモビリティ管理デバイスによって送られた前記ネットワーク名情報を受信し、前記第1のモビリティ管理デバイスがモビリティ管理エンティティ(MME)であり、前記第2のモビリティ管理デバイスが第2のモバイル交換センターサーバ(MSC)serverであり、または
識別送付メッセージを使って、前記第1のモビリティ管理デバイスによって送られた前記ネットワーク名情報を受信し、前記第1のモビリティ管理デバイスが第1のMSC serverであり、前記第2のモビリティ管理デバイスが第2のMSC serverである、請求項17に記載のネットワークデバイス。
【請求項１９】
前記サービスがボイスサービスであり、
前記受信機が、以下のようにして、前記第1のモビリティ管理デバイスによって送られた前記ネットワーク名情報を受信するように構成され、すなわち
ハンドオーバメッセージを使って、前記第1のモビリティ管理デバイスによって送られた前記ネットワーク名情報を受信する、請求項18に記載のネットワークデバイス。
【請求項２０】
前記受信機が、以下のようにして、およびハンドオーバメッセージを使って、前記第1のモビリティ管理デバイスによって送られた前記ネットワーク名情報を受信するように構成され、すなわち
パケット交換-回線交換(PS to CS)ハンドオーバメッセージを使って、前記第1のモビリティ管理デバイスによって送られた前記ネットワーク名情報を受信し、前記第1のネット
ワークが第1のパケット交換ドメインネットワークであり、前記第2のネットワークが第2の回線交換ドメインネットワークであり、または
回線交換-パケット交換(CS to PS)ハンドオーバメッセージを使って、前記第1のモビリティ管理デバイスによって送られた前記ネットワーク名情報を受信し、前記第1のネットワークが第1の回線交換ドメインネットワークであり、前記第2のネットワークが第2のパケット交換ドメインネットワークであり、または
回線交換-回線交換(CS to CS)ハンドオーバメッセージを使って、前記第1のモビリティ管理デバイスによって送られた前記ネットワーク名情報を受信し、前記第1のネットワークが第1の回線交換ドメインネットワークであり、前記第2のネットワークが第2の回線交換ドメインネットワークである、請求項18または19に記載のネットワークデバイス。
【請求項２１】
コンピュータユニットによって実行されると、前記コンピュータユニットに、請求項1から10のいずれか一項に記載の前記ステップを実施させるコンピュータプログラムコードを備えるコンピュータプログラム。
【発明の詳細な説明】
【技術分野】
【０００１】
本発明は、ワイヤレス通信の分野に関し、詳細には、ネットワーク名を表示するための方法および装置に関する。
【背景技術】
【０００２】
第3世代パートナーシッププロジェクト(3rd generation partnership project、3GPP)は、既存の第2世代(2nd generation、2G)モバイル通信および第3世代(3rd generation、3G)モバイル通信ネットワーク、発展型パケットシステム(evolved packet system、EPS)に基づいて始まった。EPSネットワークは、発展型ユニバーサルモバイル通信システム地域無線アクセスネットワーク(evolved universal mobile telecommunication system territorial radio access network、E-UTRAN)および発展型パケットコアネットワーク(evolved packet core network、EPC network)を含む。EPSネットワーク構築の初期段階において、事業者はすでに、成熟した回線交換(circuit switched、CS)ネットワークを有していたが、EPSネットワークは、パケット交換(packet switched、PS)サービスのみを処理する。CSネットワーク投資の保護およびEPSネットワークの展開ポリシーのために、事業者は、CSサービスを提供するのに、元来のCSモビリティ管理デバイスを使えばよい。この要件を満たすために、3GPPは、既存の2Gまたは3Gネットワーク内のモバイル交換センター/在圏位置レジスタ(mobile switching center/visitor location register、MSC/VLR)とサービングGPRSサポートノード(serving GPRS support node、SGSN)との間のGsインターフェースの機能を拡張し、EPCネットワーク内のMSC/VLRとモビリティ管理エンティティ(mobility management entity、MME)との間のSGsインターフェースを定義し、ここでGPRSは、汎用パケット無線サービス(general packet radio service)の略である。SGsインターフェースの機能に基づいて、3GPPは、「回線交換フォールバック」(CS fallback、CSFB)技術およびショートメッセージサービスメッセージオーバーSGs(short message over SGs、SMS over SGs)技術を提案している。CSFB技術を用いて、E-UTRANによってカバーされるユーザ機器(user equipment、UE)は、CSボイスサービスの処理を完了するように、CSボイスサービスが処理される必要があるとき、E-UTRANを使って、2G/3Gネットワーク内のCSドメインにフォールバックする。SMS over SGs技術を用いて、E-UTRAN内に存在するUEは、既存のCSドメインデバイスを再利用して、CSドメインにおけるショートメッセージサービスメッセージの送信を実装する。
【０００３】
事業者にとっての無線アクセスネットワークの重い展開費用を大きく削減するために、3GPPは、ネットワーク共有の発想を提案し、すなわち、複数の事業者のパブリックランドモバイルネットワーク(public land mobile network、PLMN)または1つの事業者の複数のPLMNが、同じ無線アクセスネットワークを共有して、ワイヤレス通信サービスを提供することができる。CSFB技術およびSMS over SGs技術について、事業者は、CSドメインネットワーク共有のための要件も提案し、この要件は主に、以下の2つのシナリオを有する。
【０００４】
シナリオ1:従来の事業者が、既存のCSドメインネットワーク(2Gネットワークおよび3Gネットワークを含む)を、CSFB技術およびSMS over SGs技術をサポートするように更新し、すなわち、事業者は、事業者によって運営される複数のPLMNを共有すること、またはローミング合意に署名することによって別の事業者のPLMNを共有することによって、E-UTRAN内に存在するUEにCSサービスを提供することができる。
【０００５】
シナリオ2:新興の純粋なPSサービスを提供する事業者が、合意に署名することによって、従来の事業者からCSドメインネットワークをリースして、CSFB技術およびSMS over SGs技術をサポートする。
【０００６】
CSドメインネットワーク共有の上記シナリオでは、複数の利用可能PLMNが、E-UTRANに存在する同じUEにCSサービスを提供することができる。UEによって開始された複合接続手順または複合追跡エリア更新手順中、複数の利用可能PLMNがUEにCSサービスを提供する場合、MMEは、PLMN、UEが現在置かれている追跡エリアの位置情報、および事業者のCSドメインネットワーク選択ポリシーに従って適切なPLMNを選択し、ここでPLMN、位置情報、およびCSドメインネットワーク選択ポリシーは、発展型NodeB(evolved nodeB、eNB)によって報告される。選択されたPLMNおよびUEが置かれている追跡エリアの位置情報に基づいて、対応するCSドメイン位置エリアアイデンティティ(location area identity、LAI)がUEに割り振られ、LAIに基づいて関連したMSC/VLRが選択される。複合接続手順が完了した後、UEは、MMEによって送られた接続受諾(attach accept)メッセージを受信し、ここで接続受諾は、追跡エリアアイデンティティリスト(tracking area identity list、TAI list)、LAI、およびVLR一時モバイル加入者アイデンティティ(temporary mobile subscriber identity、TMSI)を搬送する。UEについては、UEがLAIおよびVLR TMSIを獲得することは、CSドメイン接続が成功したことを示す。
【０００７】
複合接続手順が完了した後、UEは、事業者のネットワークへの登録に成功し、UEは、登録されたネットワークの名称を表示する必要がある。代替として、複合追跡エリア更新手順の後、UEは、登録されたネットワークの名称を表示する必要がある。現時点で、UEは、主に2つのポリシーに基づいて、ネットワーク名を表示する。
【０００８】
ポリシー1:ネットワーク側は構成を実施せず、UEは、UEの構成に従ってネットワーク名を表示する。
【０００９】
具体的には、UEは、現在登録されているネットワークのPLMNアイデンティティ(identity、ID)に従って、PLMN IDに対応するネットワーク名を表示する。
【００１０】
ただし、いくつかのシナリオでは、UEは、PLMN IDに対応するどのネットワーク名を表示するべきか判断することができない。
【００１１】
ポリシー2:ネットワーク側は、表示されるべきネットワーク名をUEに送達する。
【００１２】
ネットワーク側によって送達されたネットワーク名を受信すると、UEは、受信したネットワーク名を使って、UEによって構成されたネットワーク名を更新し、更新されたネットワーク名を表示してよい。
1)MMEは、E-UTRANモビリティ管理情報(E-UTRAN mobile management information、EMM information)メッセージを使って、表示されるべきネットワーク名をUEに通知し、UEは、通知されたネットワーク名を表示し、ここでMMEによって通知されたネットワーク名は、MMEのホームPLMN(home PLMN、HPLMN)に従ってMMEによって判断される。
2)MSC/VLRが、UEが登録しているCSドメインネットワークのネットワーク名を、SGsインターフェースを介してMMEに送達する。MMEは、EMM Informationメッセージを使って、表示されるべきネットワーク名をUEに通知し、UEは、通知されたネットワーク名を表示し、ここでMMEによって通知されたネットワーク名は、MMEのHPLMNのネットワーク名であって、MMEのポリシーに従ってMMEによって判断されたネットワーク名であり、またはUEがMSC/VLRを使って登録しているCSドメインネットワークのネットワーク名である。
【００１３】
ただし、ネットワーク側がネットワーク名を、表示するためにUEに送達するポリシーでは、いくつかのシナリオにおいて、UEは、表示されるべきネットワーク名を判断することができず、MMEも、どのネットワーク名がUE上に表示されるか分からない。
【発明の概要】
【発明が解決しようとする課題】
【００１４】
この点において、本発明の実施形態は、従来技術では、UE上に表示されるネットワーク名の変化が不十分なユーザ経験を引き起こす問題を解決するために、ネットワーク名を表示するための方法および装置を提供する。
【課題を解決するための手段】
【００１５】
第1の態様によると、ネットワーク名を表示するための方法が提供され、この方法は、
第1のネットワーク内の第1のモビリティ管理デバイスによって、第1のネットワーク名情報を獲得するステップであって、第1のネットワーク名情報が、ユーザ機器UE上に現在表示されているネットワーク名、および/またはUE上に現在表示されているネットワーク名に対応するパブリック・ランド・モバイル・ネットワーク・アイデンティティPLMN IDであり、第1のネットワークは、UEが現在登録しているネットワークまたはUEが現在共同で登録している2つのネットワークのうちのネットワークであるステップと、
UEが、サービスを実行するプロセス中に第2のネットワークに切り替わった場合、第1のモビリティ管理デバイスによって、第2のネットワーク内の第2のモビリティ管理デバイスに第1のネットワーク名情報を送るステップであって、そうすることによって、第2のモビリティ管理デバイスは、第1のネットワーク名情報に対応するネットワーク名を、表示するためにUEに送るステップとを含む。
【００１６】
第1の態様の第1の可能な実装方式では、第2のネットワークが2Gネットワークである場合、第1のネットワーク名情報を第2のネットワーク内の第2のモビリティ管理デバイスに送った後、方法は、第1のモビリティ管理デバイスによって、第2のネットワーク内の第3のモビリティ管理デバイスに、第2のネットワーク名情報をUEへ送らないよう命令するステップであって、第2のネットワーク名情報は、任意のネットワーク名および/または任意のネットワーク名に対応するPLMN IDであり、第3のモビリティ管理デバイスは、2G内の回線交換ドメインのモビリティ管理デバイスであり、第2のモビリティ管理デバイスは、2Gネットワーク内のパケット交換ドメインのモビリティ管理デバイスであり、または、第3のモビリティ管理デバイスは、2Gネットワーク内のパケット交換ドメインのモビリティ管理デバイスであり、第2のモビリティ管理デバイスは、2Gネットワーク内の回線交換ドメインのモビリティ管理デバイスであるステップをさらに含み、または
第2のネットワークが3Gネットワークである場合、第1のネットワーク名情報を第2のネットワーク内の第2のモビリティ管理デバイスに送った後、方法は、第1のモビリティ管理デバイスによって、第2のネットワーク内の第3のモビリティ管理デバイスに、第2のネットワーク名情報をUEへ送らないよう命令するステップであって、第2のネットワーク名情報は、任意のネットワーク名および/または任意のネットワーク名に対応するPLMN IDであり、第3のモビリティ管理デバイスは、3Gネットワーク内の回線交換ドメインのモビリティ管理デバイスであり、第2のモビリティ管理デバイスは、3Gネットワーク内のパケット交換ドメインのモビリティ管理デバイスであり、または、第3のモビリティ管理デバイスは、3Gネットワーク内のパケット交換ドメインのモビリティ管理デバイスであり、第2のモビリティ管理デバイスは、3Gネットワーク内の回線交換ドメインのモビリティ管理デバイスであるステップをさらに含む。
【００１７】
第1の態様の第1の可能な実装方式に関連して、第2の可能な実装方式では、第1のモビリティ管理デバイスによって、第2のネットワーク内の第3のモビリティ管理デバイスに、第2のネットワーク名情報をUEへ送らないよう命令するステップは、
第1のモビリティ管理デバイスによって、要求メッセージを使って、第3のモビリティ管理デバイスに、第2のネットワーク名情報をUEへ送らないよう命令するステップであって、要求メッセージが指示情報を含み、指示情報が、第3のモビリティ管理デバイスに、第2のネットワーク名情報をUEへ送らないよう命令するのに使われるステップを含む。
【００１８】
第1の態様の第2の可能な実装方式に関連して、第3の可能な実装方式では、指示情報は具体的には、第3のモビリティ管理デバイスに、UEへ、ユニバーサルモバイル通信システム地域無線アクセスネットワークE-UTRANモビリティ管理情報EMM informationメッセージ、または汎用パケット無線サービスGPRSモビリティ管理情報GMM informationメッセージもしくはモビリティ管理情報MM informationメッセージを送らないよう命令するのに使われる。
【００１９】
第1の態様または第1の態様の任意の可能な実装方式に関連して、第4の可能な実装方式では、UEが、サービスを実行するプロセス中に、第2のネットワークに切り替わることは、
回線交換フォールバックCSFBサービスを実行して、UEが、第1のネットワークから第2のネットワークにフォールバックできるようにすることを含む。
【００２０】
第1の態様の第4の可能な実装方式に関連して、第5の可能な実装方式では、第1のモビリティ管理デバイスによって、第1のネットワーク名情報を第2のモビリティ管理デバイスに送るステップは、
第1のモビリティ管理デバイスによって、更新要求メッセージまたはサービス要求メッセージを使って第1のネットワーク名情報を第2のモビリティ管理デバイスに送るステップであって、第1のモビリティ管理デバイスは第1のモビリティ管理エンティティMMEであり、第2のモビリティ管理デバイスは第2のモバイル交換センターサーバMSC serverであるステップ、または
第1のモビリティ管理デバイスによって、識別送付メッセージを使って、第1のネットワーク名情報を第2のモビリティ管理デバイスに送るステップであって、第1のモビリティ管理デバイスは第1のMSC serverであり、第2のモビリティ管理デバイスは第2のMSC serverであるステップを含む。
【００２１】
第1の態様または第1の態様の第1〜第3の可能な実装方式のうち任意のものに関連して、第6の可能な実装方式では、UEが、サービスを実行するプロセス中に第2のネットワークに切り替わることは、
ボイスサービスを実行するプロセス中に、UEを第2のネットワークにハンドオーバすることを含む。
【００２２】
第1の態様の第6の可能な実装方式に関連して、第7の可能な実装方式では、第1のモビリティ管理デバイスによって、第1のネットワーク名情報を第2のモビリティ管理デバイスに送るステップは、
第1のモビリティ管理デバイスによって、ハンドオーバメッセージを使って、第1のネットワーク名情報を第2のモビリティ管理デバイスに送るステップを含む。
【００２３】
第1の態様の第7の可能な実装方式に関連して、第8の可能な実装方式では、第1のモビリティ管理デバイスによって、ハンドオーバメッセージを使って、第1のネットワーク名情報を第2のモビリティ管理デバイスに送るステップは、
第1のモビリティ管理デバイスによって、パケット交換-回線交換PS to CSハンドオーバメッセージを使って、第1のネットワーク名情報を第2のモビリティ管理デバイスに送るステップであって、第1のネットワークは第1のパケット交換ドメインネットワークであり、第2のネットワークは第2の回線交換ドメインネットワークであるステップ、または
第1のモビリティ管理デバイスによって、回線交換-パケット交換CS to PSハンドオーバメッセージを使って、第1のネットワーク名情報を第2のモビリティ管理デバイスに送るステップであって、第1のネットワークは第1の回線交換ドメインネットワークであり、第2のネットワークは第2のパケット交換ドメインネットワークであるステップ、または
第1のモビリティ管理デバイスによって、回線交換-回線交換CS to CSハンドオーバメッセージを使って、第1のネットワーク名情報を第2のモビリティ管理デバイスに送るステップであって、第1のネットワークは第1の回線交換ドメインネットワークであり、第2のネットワークは第2の回線交換ドメインネットワークであるステップを含む。
【００２４】
第1の態様の第2または第3の可能な実装方式に関連して、第9の可能な実装方式では、サービスが回線交換フォールバックCSFBサービスである場合、要求メッセージは位置更新要求メッセージまたはサービス要求メッセージであり、第1のネットワークはロングタームエボリューションネットワークであり、第1のモビリティ管理デバイスは第1のモビリティ管理エンティティMMEであり、第2のモビリティ管理デバイスは第2のサービングゲートウェイサポートノードSGSNであり、第3のモビリティ管理デバイスは第2のモバイル交換センターサーバMSC serverであり、または
サービスがCSFBサービスである場合、要求メッセージはコンテキスト要求メッセージまたはハンドオーバ要求メッセージであり、第1のモビリティ管理デバイスは第1のMMEであり、第2のモビリティ管理デバイスは第2のMSC serverであり、第3のモビリティ管理デバイスは第2のSGSNであり、または
サービスがボイスサービスである場合、要求メッセージはハンドオーバメッセージであり、第1のモビリティ管理デバイスは第1のMMEであり、第2のモビリティ管理デバイスは第2のSGSNであり、第3のモビリティ管理デバイスは第2のMSC serverであり、または
サービスがボイスサービスである場合、要求メッセージはハンドオーバメッセージであり、第1のモビリティ管理デバイスは第1のSGSNであり、第2のモビリティ管理デバイスは第2のMMEであり、第3のモビリティ管理デバイスは第2のMSC serverであり、または
サービスがボイスサービスである場合、要求メッセージはパケット交換-回線交換PS to CSハンドオーバメッセージであり、第1のモビリティ管理デバイスは第1のMMEであり、第2のモビリティ管理デバイスは第2のMSC serverであり、第3のモビリティ管理デバイスは第2のMMEであり、または
サービスがボイスサービスである場合、要求メッセージはPS to CSハンドオーバメッセージであり、第1のモビリティ管理デバイスは第1のMMEであり、第2のモビリティ管理デバイスは第2のSGSNであり、第3のモビリティ管理デバイスは第2のMSC serverである。
【００２５】
第1の態様または第1の態様の任意の可能な実装方式に関連して、第10の可能な実装方式では、第1のネットワーク内の第1のモビリティ管理デバイスによって、第1のネットワーク名情報を獲得するステップは、第1のモビリティ管理デバイスによって、第1の構成を使って、第1のネットワーク名情報を獲得するステップを含み、第1の構成は、所定のネットワーク名および/または所定のネットワーク名に対応するPLMN IDであり、第1の構成はUEの第2の構成と同じであり、UEは、UEの第2の構成に従ってネットワーク名を表示し、または
第1のネットワーク内の第1のモビリティ管理デバイスによって、第1のネットワーク名情報を獲得するステップの前に、方法は、第1のモビリティ管理デバイスによって、UEに、UE上に現在表示されているネットワーク名を送るステップをさらに含み、第1のモビリティ管理デバイスによって、第1のネットワーク名情報を獲得するステップは、第1のモビリティ管理デバイスによって送られた、ネットワーク名に対応する第1のネットワーク名情報を、第1のモビリティ管理デバイスによって獲得するステップを含む。
【００２６】
第2の態様によると、ネットワーク名を表示するための方法が提供され、この方法は、
ユーザ機器UEが、UEが第1のネットワーク内でサービスを実行するプロセス中に、第1のネットワークから第2のネットワークに切り替わった場合、第2のネットワーク内の第2のモビリティ管理デバイスによって、第1のネットワーク内の第1のモビリティ管理デバイスによって送られたネットワーク名情報を受信するステップであって、ネットワーク名情報は、UE上で現在表示されているネットワーク名、および/またはUE上で現在表示されているネットワーク名に対応するパブリック・ランド・モバイル・ネットワーク・アイデンティティPLMN IDであるステップと、
第2のモビリティ管理デバイスによって、ネットワーク名情報に対応するネットワーク名を、表示するためにUEに送るステップとを含む。
【００２７】
第2の態様の第1の可能な実装方式では、サービスは回線交換フォールバックCSFBサービスであり、第1のモビリティ管理デバイスによって送られたネットワーク名情報を、第2のモビリティ管理デバイスによって受信するステップは、
第2のモビリティ管理デバイスによって、更新要求メッセージまたはサービス要求メッセージを使って、第1のモビリティ管理デバイスによって送られたネットワーク名情報を受信するステップであって、第1のモビリティ管理デバイスはモビリティ管理エンティティである第1のMMEであり、第2のモビリティ管理デバイスはモバイル交換センターサーバである第2のMSC serverであるステップ、または
第2のモビリティ管理デバイスによって、識別送付メッセージを使って、第1のモビリティ管理デバイスによって送られたネットワーク名情報を受信するステップであって、第1のモビリティ管理デバイスは第1のMSC serverであり、第2のモビリティ管理デバイスは第2のMSC serverであるステップを含む。
【００２８】
第2の態様の第2の可能な実装方式では、サービスはボイスサービスであり、
第1のモビリティ管理デバイスによって送られたネットワーク名情報を、第2のモビリティ管理デバイスによって受信するステップは、
第2のモビリティ管理デバイスによって、ハンドオーバメッセージを使ってネットワーク名情報を受信するステップを含む。
【００２９】
第2の態様の第2の可能な実装方式に関連して、第2の態様の第3の可能な実装方式では、第2のモビリティ管理デバイスによって、ハンドオーバメッセージを使ってネットワーク名情報を受信するステップは、
第2のモビリティ管理デバイスによって、パケット交換-回線交換PS to CSハンドオーバメッセージを使ってネットワーク名情報を受信するステップであって、第1のネットワークは第1のパケット交換ドメインネットワークであり、第2のネットワークは第2の回線交換ドメインネットワークであるステップ、または
第2のモビリティ管理デバイスによって、回線交換-パケット交換CS to PSハンドオーバメッセージを使ってネットワーク名情報を受信するステップであって、第1のネットワークは第1の回線交換ドメインネットワークであり、第2のネットワークは第2のパケット交換ドメインネットワークであるステップ、または
第2のモビリティ管理デバイスによって、回線交換-回線交換CS to CSハンドオーバメッセージを使ってネットワーク名情報を受信するステップであって、第1のネットワークは第1の回線交換ドメインネットワークであり、第2のネットワークは第2の回線交換ドメインネットワークであるステップを含む。
【００３０】
第3の態様によると、ネットワークデバイスが提供され、このネットワークデバイスは、第1のネットワーク内の第1のモビリティ管理デバイスであり、
第1のネットワーク名情報を獲得するように構成された獲得モジュールであって、第1のネットワーク名情報は、ユーザ機器UE上に現在表示されているネットワーク名、および/またはUE上に現在表示されているネットワーク名に対応するパブリック・ランド・モバイル・ネットワーク・アイデンティティPLMN IDであり、第1のネットワークは、UEが現在登録しているネットワークまたはUEが現在共同で登録している2つのネットワークのうちのネットワークである獲得モジュールと、
UEが、サービスを実行するプロセス中に第2のネットワークに切り替わった場合、獲得モジュールによって獲得された第1のネットワーク名情報を、第2のネットワーク内の第2のモビリティ管理デバイスに送るように構成され、そうすることによって第2のモビリティ管理デバイスは、第1のネットワーク名情報に対応するネットワーク名を、表示するためにUEに送る送付モジュールとを含む。
【００３１】
第3の態様の第1の可能な実装方式では、第2のネットワークが2Gネットワークである場合、送付モジュールは、第1のネットワーク名情報を第2のネットワーク内の第2のモビリティ管理デバイスに送った後、第2のネットワーク内の第3のモビリティ管理デバイスに、第2のネットワーク名情報をUEへ送らないよう命令するようにさらに構成され、ここで第2のネットワーク名情報は、任意のネットワーク名および/または任意のネットワーク名に対応するPLMN IDであり、第3のモビリティ管理デバイスは、2G内の回線交換ドメインのモビリティ管理デバイスであり、第2のモビリティ管理デバイスは、2Gネットワーク内のパケット交換ドメインのモビリティ管理デバイスであり、または、第3のモビリティ管理デバイスは、2Gネットワーク内のパケット交換ドメインのモビリティ管理デバイスであり、第2のモビリティ管理デバイスは、2Gネットワーク内の回線交換ドメインのモビリティ管理デバイスであり、または
第2のネットワークが3Gネットワークである場合、送付モジュールは、第1のネットワーク名情報を第2のネットワーク内の第2のモビリティ管理デバイスに送った後、第2のネットワーク内の第3のモビリティ管理デバイスに、第2のネットワーク名情報をUEへ送らないよう命令するようにさらに構成され、ここで第2のネットワーク名情報は、任意のネットワーク名および/または任意のネットワーク名に対応するPLMN IDであり、第3のモビリティ管理デバイスは、3G内の回線交換ドメインのモビリティ管理デバイスであり、第2のモビリティ管理デバイスは、3Gネットワーク内のパケット交換ドメインのモビリティ管理デバイスであり、または、第3のモビリティ管理デバイスは、3Gネットワーク内のパケット交換ドメインのモビリティ管理デバイスであり、第2のモビリティ管理デバイスは、3Gネットワーク内の回線交換ドメインのモビリティ管理デバイスである。
【００３２】
第3の態様の第1の可能な実装方式に関連して、第2の可能な実装方式では、送付モジュールは、以下のようにして、第2のネットワーク内の第3のモビリティ管理デバイスに、第2のネットワーク名情報をUEへ送らないよう命令するように特に構成され、すなわち、要求メッセージを使って、第3のモビリティ管理デバイスに、第2のネットワーク名情報をUEへ送らないよう命令し、ここで要求メッセージは指示情報を含み、指示情報は、第3のモビリティ管理デバイスに、第2のネットワーク名情報をUEへ送らないよう命令するのに使われる。
【００３３】
第3の態様の第2の可能な実装方式に関連して、第3の可能な実装方式では、送付モジュールは、指示情報を搬送する要求メッセージを送るように特に構成され、指示情報は具体的には、第3のモビリティ管理デバイスに、UEへ、ユニバーサルモバイル通信システム地上無線アクセスネットワークE-UTRANモビリティ管理情報EMM informationメッセージ、または汎用パケット無線サービスGPRSモビリティ管理情報GMM informationメッセージもしくはモビリティ管理情報MM informationメッセージを送らないよう命令するのに使われる。
【００３４】
第3の態様または第3の態様の任意の可能な実装方式に関連して、第4の可能な実装方式では、サービスが回線交換フォールバックCSFBサービスである場合、送付モジュールは、以下のようにして、第1のネットワーク名情報を第2のモビリティ管理デバイスに送るように特に構成され、すなわち
更新要求メッセージまたはサービス要求メッセージを使って第1のネットワーク名情報を第2のモビリティ管理デバイスに送り、ここで第1のモビリティ管理デバイスは第1のモビリティ管理エンティティMMEであり、第2のモビリティ管理デバイスは第1のモバイル交換センターサーバMSC serverであり、または
識別送付メッセージを使って、第1のネットワーク名情報を第2のモビリティ管理デバイスに送り、ここで第1のモビリティ管理デバイスは第1のMSC serverであり、第2のモビリティ管理デバイスは第2のMSC serverである。
【００３５】
第3の態様または第3の態様の任意の可能な実装方式に関連して、第5の可能な実装方式では、サービスがボイスサービスである場合、送付モジュールは、以下のようにして、第1のネットワーク名情報を第2のモビリティ管理デバイスに送るように特に構成され、すなわち
ハンドオーバメッセージを使って、第1のネットワーク名情報を第2のモビリティ管理デバイスに送る。
【００３６】
第3の態様の第4の可能な実装方式に関連して、第6の可能な実装方式では、送付モジュールは、以下のようにして、ハンドオーバメッセージを使って、第1のネットワーク名情報を第2のモビリティ管理デバイスに送るように特に構成され、すなわち、パケット交換-回線交換PS to CSハンドオーバメッセージを使って、第1のネットワーク名情報を第2のモビリティ管理デバイスに送り、ここで第1のネットワークは第1のパケット交換ドメインネットワークであり、第2のネットワークは第2の回線交換ドメインネットワークであり、または
回線交換-パケット交換CS to PSハンドオーバメッセージを使って、第1のネットワーク名情報を第2のモビリティ管理デバイスに送り、ここで第1のネットワークは第1の回線交換ドメインネットワークであり、第2のネットワークは第2のパケット交換ドメインネットワークであり、または
回線交換-回線交換CS to CSハンドオーバメッセージを使って、第1のネットワーク名情報を第2のモビリティ管理デバイスに送り、ここで第1のネットワークは第1の回線交換ドメインネットワークであり、第2のネットワークは第2の回線交換ドメインネットワークである。
【００３７】
第3の態様の第2または第3の可能な実装方式に関連して、第7の可能な実装方式では、サービスが回線交換フォールバックCSFBサービスである場合、送付モジュールは、以下のようにして、および要求メッセージを使って、第3のモビリティ管理デバイスに、第2のネットワーク名情報をUEへ送らないよう命令するように特に構成され、すなわち
位置更新要求メッセージまたはサービス要求メッセージを使って、第3のモビリティ管理デバイスに、第2のネットワーク名情報をUEへ送らないよう命令し、ここで要求メッセージは位置更新要求メッセージまたはサービス要求メッセージであり、第1のネットワークはロングタームエボリューションネットワークであり、第1のモビリティ管理デバイスは第1のモビリティ管理エンティティMMEであり、第2のモビリティ管理デバイスは第2のサービングゲートウェイサポートノードSGSNであり、第3のモビリティ管理デバイスは第2のモバイル交換センターサーバMSC serverであり、または
コンテキスト要求メッセージまたはハンドオーバ要求メッセージを使って、第3のモビリティ管理デバイスに、第2のネットワーク名情報をUEへ送らないよう命令し、ここで要求メッセージはコンテキスト要求メッセージまたはハンドオーバ要求メッセージであり、第1のモビリティ管理デバイスは第1のMMEであり、第2のモビリティ管理デバイスは第2のMSC serverであり、第3のモビリティ管理デバイスは第2のSGSNであり、または
サービスがボイスサービスである場合、送付モジュールは、以下のようにして、および要求メッセージを使って、第3のモビリティ管理デバイスに、第2のネットワーク名情報をUEへ送らないよう命令するように特に構成され、すなわち
ハンドオーバメッセージを送ることによって、第3のモビリティ管理デバイスに、第2のネットワーク名情報をUEへ送らないよう命令し、ここで要求メッセージはハンドオーバメッセージであり、第1のモビリティ管理デバイスは第1のMMEであり、第2のモビリティ管理デバイスは第2のSGSNであり、第3のモビリティ管理デバイスは第2のMSC serverであり、または
ハンドオーバメッセージを送ることによって、第3のモビリティ管理デバイスに、第2のネットワーク名情報をUEへ送らないよう命令し、ここで要求メッセージはハンドオーバメッセージであり、第1のモビリティ管理デバイスは第1のSGSNであり、第2のモビリティ管理デバイスは第2のMMEであり、第3のモビリティ管理デバイスは第2のMSC serverであり、または
パケット交換-回線交換PS to CSハンドオーバメッセージを送ることによって、第3のモビリティ管理デバイスに、第2のネットワーク名情報をUEへ送らないよう命令し、ここで要求メッセージはPS to CSハンドオーバメッセージであり、第1のモビリティ管理デバイスは第1のMMEであり、第2のモビリティ管理デバイスは第2のMSC serverであり、第3のモビリティ管理デバイスは第2のMMEであり、または
PS to CSハンドオーバメッセージを送ることによって、第3のモビリティ管理デバイスに、第2のネットワーク名情報をUEへ送らないよう命令し、ここで要求メッセージはPS to CSハンドオーバメッセージであり、第1のモビリティ管理デバイスは第1のMMEであり、第2のモビリティ管理デバイスは第2のSGSNであり、第3のモビリティ管理デバイスは第2のMSC serverである。
【００３８】
第3の態様または第3の態様の任意の可能な実装方式に関連して、第8の可能な実装方式では、ネットワークデバイスは記憶モジュールをさらに含み、ここで、
記憶モジュールは、第1の構成を記憶するように構成され、ここで第1の構成は、所定のネットワーク名および/または所定のネットワーク名に対応するPLMN IDであり、第1の構成はUEの第2の構成と同じであり、UEは、UEの第2の構成に従ってネットワーク名を表示し、獲得モジュールは、以下のようにして、第1のネットワーク名情報を獲得するように特に構成され、すなわち、記憶モジュールによって記憶されている第1の構成に対応する第1のネットワーク名情報を獲得し、または
送付モジュールは、UEに、UE上に現在表示されているネットワーク名を送るようにさらに構成され、記憶モジュールは、送付モジュールによって送られたネットワーク名を記憶するように構成され、ここで獲得モジュールは、以下のようにして、第1のネットワーク名情報を獲得するように構成され、すなわち、記憶モジュールによって記憶されているネットワーク名に対応する第1のネットワーク名情報を獲得する。
【００３９】
第4の態様によると、ネットワークデバイスが提供され、このネットワークデバイスは、第2のネットワーク内の第2のモビリティ管理デバイスであり、
第1のネットワーク内でサービスを実行するプロセス中に、ユーザ機器UEが、第1のネットワークから第2のネットワークに切り替わった場合、第1のネットワーク内の第1のモビリティ管理デバイスによって送られたネットワーク名情報を受信するように構成された受信機であって、ネットワーク名情報は、UE上に現在表示されているネットワーク名、および/またはUE上に現在表示されているネットワーク名に対応するパブリック・ランド・モバイル・ネットワーク・アイデンティティPLMN IDである受信機と、
受信モジュールによって受信されたネットワーク名情報に対応するネットワーク名を、表示するためにUEに送るように構成された送付モジュールとを含む。
【００４０】
第4の態様の第1の可能な実装方式では、
サービスが回線交換フォールバックCSFBサービスである場合、受信モジュールは、以下のようにして、第1のモビリティ管理デバイスによって送られたネットワーク名情報を受信するように特に構成され、すなわち
更新要求メッセージまたはサービス要求メッセージを使って、第1のモビリティ管理デバイスによって送られたネットワーク名情報を受信し、ここで第1のモビリティ管理デバイスはモビリティ管理エンティティMMEであり、第2のモビリティ管理デバイスはモバイル交換センターサーバである第2のMSC serverであり、または
識別送付メッセージを使って、第1のモビリティ管理デバイスによって送られたネットワーク名情報を受信し、ここで第1のモビリティ管理デバイスは第1のMSC serverであり、第2のモビリティ管理デバイスは第2のMSC serverである。
【００４１】
第4の態様の第2の可能な実装方式では、
サービスはボイスサービスであり、
受信モジュールは、以下のようにして、第1のモビリティ管理デバイスによって送られたネットワーク名情報を受信するように特に構成され、すなわち
ハンドオーバメッセージを使って、第1のモビリティ管理デバイスによって送られたネットワーク名情報を受信し、ここで第1のネットワークは第1のパケット交換ドメインネットワークであり、第2のネットワークは第2のパケット交換ドメインネットワークである。
【００４２】
第4の態様の第2の可能な実装方式に関連して、第3の可能な実装方式では、
受信モジュールは、以下のようにして、およびハンドオーバメッセージを使って、第1のモビリティ管理デバイスによって送られたネットワーク名情報を受信するように特に構成され、すなわち
パケット交換-回線交換PS to CSハンドオーバメッセージを使って、第1のモビリティ管理デバイスによって送られたネットワーク名情報を受信し、ここで第1のネットワークは第1のパケット交換ドメインネットワークであり、第2のネットワークは第2の回線交換ドメインネットワークであり、または
回線交換-パケット交換CS to PSハンドオーバメッセージを使って、第1のモビリティ管理デバイスによって送られたネットワーク名情報を受信し、ここで第1のネットワークは第1の回線交換ドメインネットワークであり、第2のネットワークは第2のパケット交換ドメインネットワークであり、または
回線交換-回線交換CS to CSハンドオーバメッセージを使って、第1のモビリティ管理デバイスによって送られたネットワーク名情報を受信し、ここで第1のネットワークは第1の回線交換ドメインネットワークであり、第2のネットワークは第2の回線交換ドメインネットワークである。
【００４３】
第5の態様によると、ネットワークデバイスが提供され、このネットワークデバイスは、第1のネットワーク内の第1のモビリティ管理デバイスであり、
第1のネットワーク名情報を獲得するように構成されたプロセッサであって、第1のネットワーク名情報は、ユーザ機器UE上に現在表示されているネットワーク名、および/またはUE上に現在表示されているネットワーク名に対応するパブリック・ランド・モバイル・ネットワーク・アイデンティティPLMN IDであり、第1のネットワークは、UEが現在登録しているネットワークまたはUEが現在共同で登録している2つのネットワークのうちのネットワークであるプロセッサと、
UEが、サービスを実行するプロセス中に第2のネットワークに切り替わった場合、プロセッサによって獲得された第1のネットワーク名情報を、第2のネットワーク内の第2のモビリティ管理デバイスに送るように構成され、そうすることによって第2のモビリティ管理デバイスは、第1のネットワーク名情報に対応するネットワーク名を、表示するためにUEに送る送信機とを含む。
【００４４】
第5の態様の第1の可能な実装方式では、第2のネットワークが2Gネットワークである場合、送信機は、第1のネットワーク名情報を第2のネットワーク内の第2のモビリティ管理デバイスに送った後、第2のネットワーク内の第3のモビリティ管理デバイスに、第2のネットワーク名情報をUEへ送らないよう命令するようにさらに構成され、ここで第2のネットワーク名情報は、任意のネットワーク名および/または任意のネットワーク名に対応するPLMN IDであり、第3のモビリティ管理デバイスは、2G内の回線交換ドメインのモビリティ管理デバイスであり、第2のモビリティ管理デバイスは、2Gネットワーク内のパケット交換ドメインのモビリティ管理デバイスであり、または、第3のモビリティ管理デバイスは、2Gネットワーク内のパケット交換ドメインのモビリティ管理デバイスであり、第2のモビリティ管理デバイスは、2Gネットワーク内の回線交換ドメインのモビリティ管理デバイスであり、または
第2のネットワークが3Gネットワークである場合、送信機は、第1のネットワーク名情報を第2のネットワーク内の第2のモビリティ管理デバイスに送った後、第2のネットワーク内の第3のモビリティ管理デバイスに、第2のネットワーク名情報をUEへ送らないよう命令するようにさらに構成され、ここで第2のネットワーク名情報は、任意のネットワーク名および/または任意のネットワーク名に対応するPLMN IDであり、第3のモビリティ管理デバイスは、3G内の回線交換ドメインのモビリティ管理デバイスであり、第2のモビリティ管理デバイスは、3Gネットワーク内のパケット交換ドメインのモビリティ管理デバイスであり、または、第3のモビリティ管理デバイスは、3Gネットワーク内のパケット交換ドメインのモビリティ管理デバイスであり、第2のモビリティ管理デバイスは、3Gネットワーク内の回線交換ドメインのモビリティ管理デバイスである。
【００４５】
第5の態様の第1の可能な実装方式に関連して、第2の可能な実装方式では、送信機は、以下のようにして、第2のネットワーク内の第3のモビリティ管理デバイスに、第2のネットワーク名情報をUEへ送らないよう命令するように特に構成され、すなわち、要求メッセージを使って、第3のモビリティ管理デバイスに、第2のネットワーク名情報をUEへ送らないよう命令し、ここで要求メッセージは指示情報を含み、指示情報は、第3のモビリティ管理デバイスに、第2のネットワーク名情報をUEへ送らないよう命令するのに使われる。
【００４６】
第5の態様の第2の可能な実装方式に関連して、第3の可能な実装方式では、送信機は、指示情報を搬送する要求メッセージを送るように特に構成され、指示情報は具体的には、第3のモビリティ管理デバイスに、UEへ、ユニバーサルモバイル通信システム地上無線アクセスネットワークE-UTRANモビリティ管理情報EMM informationメッセージ、または汎用パケット無線サービスGPRSモビリティ管理情報GMM informationメッセージもしくはモビリティ管理情報MM informationメッセージを送らないよう命令するのに使われる。
【００４７】
第5の態様または第5の態様の任意の可能な実装方式に関連して、第4の可能な実装方式では、サービスが回線交換フォールバックCSFBサービスである場合、送信機は、以下のようにして、第1のネットワーク名情報を第2のモビリティ管理デバイスに送るように特に構成され、すなわち
更新要求メッセージまたはサービス要求メッセージを使って第1のネットワーク名情報を第2のモビリティ管理デバイスに送り、ここで第1のモビリティ管理デバイスは第1のモビリティ管理エンティティMMEであり、第2のモビリティ管理デバイスは第2のモバイル交換センターサーバMSC serverであり、または
識別送付メッセージを使って、第1のネットワーク名情報を第2のモビリティ管理デバイスに送り、ここで第1のモビリティ管理デバイスは第1のMSC serverであり、第2のモビリティ管理デバイスは第2のMSC serverである。
【００４８】
第5の態様または第5の態様の任意の可能な実装方式に関連して、第5の可能な実装方式では、サービスがボイスサービスである場合、送信機は、以下のようにして、第1のネットワーク名情報を第2のモビリティ管理デバイスに送るように特に構成され、すなわち
ハンドオーバメッセージを使って、第1のネットワーク名情報を第2のモビリティ管理デバイスに送る。
【００４９】
第5の態様の第5の可能な実装方式に関連して、第6の可能な実装方式では、送信機は、以下のようにして、ハンドオーバメッセージを使って、第1のネットワーク名情報を第2のモビリティ管理デバイスに送るように特に構成され、すなわち
パケット交換-回線交換PS to CSハンドオーバメッセージを使って、第1のネットワーク名情報を第2のモビリティ管理デバイスに送り、ここで第1のネットワークは第1のパケット交換ドメインネットワークであり、第2のネットワークは第2の回線交換ドメインネットワークであり、または
回線交換-パケット交換CS to PSハンドオーバメッセージを使って、第1のネットワーク名情報を第2のモビリティ管理デバイスに送り、ここで第1のネットワークは第1の回線交換ドメインネットワークであり、第2のネットワークは第2のパケット交換ドメインネットワークであり、または
回線交換-回線交換CS to CSハンドオーバメッセージを使って、第1のネットワーク名情報を第2のモビリティ管理デバイスに送り、ここで第1のネットワークは第1の回線交換ドメインネットワークであり、第2のネットワークは第2の回線交換ドメインネットワークである。
【００５０】
第5の態様の第2または第3の可能な実装方式に関連して、第7の可能な実装方式では、サービスが回線交換フォールバックCSFBサービスである場合、送信機は、以下のようにして、および要求メッセージを使って、第3のモビリティ管理デバイスに、第2のネットワーク名情報をUEへ送らないよう命令するように特に構成され、すなわち
位置更新要求メッセージまたはサービス要求メッセージを使って、第3のモビリティ管理デバイスに、第2のネットワーク名情報をUEへ送らないよう命令し、ここで要求メッセージは位置更新要求メッセージまたはサービス要求メッセージであり、第1のネットワークはロングタームエボリューションネットワークであり、第1のモビリティ管理デバイスは第1のモビリティ管理エンティティMMEであり、第2のモビリティ管理デバイスは第2のサービングゲートウェイサポートノードSGSNであり、第3のモビリティ管理デバイスは第2のモバイル交換センターサーバMSC serverであり、または
コンテキスト要求メッセージまたはハンドオーバ要求メッセージを使って、第3のモビリティ管理デバイスに、第2のネットワーク名情報をUEへ送らないよう命令し、ここで要求メッセージはコンテキスト要求メッセージまたはハンドオーバ要求メッセージであり、第1のモビリティ管理デバイスは第1のMMEであり、第2のモビリティ管理デバイスは第2のMSC serverであり、第3のモビリティ管理デバイスは第2のSGSNであり、または
サービスがボイスサービスである場合、送信機は、以下のようにして、および要求メッセージを使って、第3のモビリティ管理デバイスに、第2のネットワーク名情報をUEへ送らないよう命令するように特に構成され、すなわち
ハンドオーバメッセージを送ることによって、第3のモビリティ管理デバイスに、第2のネットワーク名情報をUEへ送らないよう命令し、ここで要求メッセージはハンドオーバメッセージであり、第1のモビリティ管理デバイスは第1のMMEであり、第2のモビリティ管理デバイスは第2のSGSNであり、第3のモビリティ管理デバイスは第2のMSC serverであり、または
ハンドオーバメッセージを送ることによって、第3のモビリティ管理デバイスに、第2のネットワーク名情報をUEへ送らないよう命令し、ここで要求メッセージはハンドオーバメッセージであり、第1のモビリティ管理デバイスは第1のSGSNであり、第2のモビリティ管理デバイスは第2のMMEであり、第3のモビリティ管理デバイスは第2のMSC serverであり、または
パケット交換-回線交換PS to CSハンドオーバメッセージを送ることによって、第3のモビリティ管理デバイスに、第2のネットワーク名情報をUEへ送らないよう命令し、ここで要求メッセージはPS to CSハンドオーバメッセージであり、第1のモビリティ管理デバイスは第1のMMEであり、第2のモビリティ管理デバイスは第2のMSC serverであり、第3のモビリティ管理デバイスは第2のMMEであり、または
PS to CSハンドオーバメッセージを送ることによって、第3のモビリティ管理デバイスに、第2のネットワーク名情報をUEへ送らないよう命令し、ここで要求メッセージはPS to CSハンドオーバメッセージであり、第1のモビリティ管理デバイスは第1のMMEであり、第2のモビリティ管理デバイスは第2のSGSNであり、第3のモビリティ管理デバイスは第2のMSC serverである。
【００５１】
第5の態様または第5の態様の任意の可能な実装方式に関連して、第8の可能な実装方式では、ネットワークデバイスはメモリをさらに含み、ここで、
メモリは、第1の構成を記憶するように構成され、ここで第1の構成は、所定のネットワーク名および/または所定のネットワーク名に対応するPLMN IDであり、第1の構成はUEの第2の構成と同じであり、UEは、UEの第2の構成に従ってネットワーク名を表示し、プロセッサは、以下のようにして、第1のネットワーク名情報を獲得するように特に構成され、すなわち、メモリによって記憶されている第1の構成に対応する第1のネットワーク名情報を獲得し、または
送信機は、UEに、UE上に現在表示されているネットワーク名を送るようにさらに構成され、メモリは、送信機によって送られたネットワーク名を記憶するように構成され、ここでプロセッサは、以下のようにして、第1のネットワーク名情報を獲得するように構成され、すなわち、メモリによって記憶されているネットワーク名に対応する第1のネットワーク名情報を獲得する。
【００５２】
第6の態様によると、ネットワークデバイスが提供され、このネットワークデバイスは、第2のネットワーク内の第2のモビリティ管理デバイスであり、
第1のネットワーク内でサービスを実行するプロセス中に、ユーザ機器UEが、第1のネットワークから第2のネットワークに切り替わった場合、第1のネットワーク内の第1のモビリティ管理デバイスによって送られたネットワーク名情報を受信するように構成された受信機であって、ネットワーク名情報は、UE上に現在表示されているネットワーク名、および/またはUE上に現在表示されているネットワーク名に対応するパブリック・ランド・モバイル・ネットワーク・アイデンティティPLMN IDである受信機と、
受信機によって受信されたネットワーク名情報に対応するネットワーク名を、表示するためにUEに送るように構成された送信機とを含む。
【００５３】
第6の態様の第1の可能な実装方式では、
サービスが回線交換フォールバックCSFBサービスである場合、受信機は、以下のようにして、第1のモビリティ管理デバイスによって送られたネットワーク名情報を受信するように特に構成され、すなわち
更新要求メッセージまたはサービス要求メッセージを使って、第1のモビリティ管理デバイスによって送られたネットワーク名情報を受信し、ここで第1のモビリティ管理デバイスはモビリティ管理エンティティMMEであり、第2のモビリティ管理デバイスはモバイル交換センターサーバである第2のMSC serverであり、または
識別送付メッセージを使って、第1のモビリティ管理デバイスによって送られたネットワーク名情報を受信し、ここで第1のモビリティ管理デバイスは第1のMSC serverであり、第2のモビリティ管理デバイスは第2のMSC serverである。
【００５４】
第6の態様の第2の可能な実装方式では、
サービスはボイスサービスであり、
受信機は、以下のようにして、第1のモビリティ管理デバイスによって送られたネットワーク名情報を受信するように特に構成され、すなわち
ハンドオーバメッセージを使って、第1のモビリティ管理デバイスによって送られたネットワーク名情報を受信する。
【００５５】
第6の態様の第2の可能な実装方式に関連して、第3の可能な実装方式では、受信機は、以下のようにして、およびハンドオーバメッセージを使って、第1のモビリティ管理デバイスによって送られたネットワーク名情報を受信するように特に構成され、すなわち
パケット交換-回線交換PS to CSハンドオーバメッセージを使って、第1のモビリティ管理デバイスによって送られたネットワーク名情報を受信し、ここで第1のネットワークは第1のパケット交換ドメインネットワークであり、第2のネットワークは第2の回線交換ドメインネットワークであり、または
回線交換-パケット交換CS to PSハンドオーバメッセージを使って、第1のモビリティ管理デバイスによって送られたネットワーク名情報を受信し、ここで第1のネットワークは第1の回線交換ドメインネットワークであり、第2のネットワークは第2のパケット交換ドメインネットワークであり、または
回線交換-回線交換CS to CSハンドオーバメッセージを使って、第1のモビリティ管理デバイスによって送られたネットワーク名情報を受信し、ここで第1のネットワークは第1の回線交換ドメインネットワークであり、第2のネットワークは第2の回線交換ドメインネットワークである。
【００５６】
上記の技術的解決策において、端末上で表示されるネットワーク名が、ネットワークデバイスによって記録される、UE上に表示されるネットワーク名と一致することが保証され、UE上に表示されるネットワーク名が実行プロセス中に変化するという問題が回避され、そうすることによって、UE上に表示されるネットワーク名とネットワークデバイスに記憶されるネットワーク名との一貫性が保証され、ユーザ経験を向上させる。
【００５７】
本発明の実施形態における技術的解決策をより明らかに記載するために、以下では、実施形態を説明するために必要とされる添付の図面を手短に提示する。明らかに、以下の説明における添付の図面は、いくつかの実施形態を示すにすぎず、当業者は、これらの添付の図面から、他の図面をさらに導き出すことができよう。
【図面の簡単な説明】
【００５８】
【図１】本発明の実施形態による、ネットワーク名を表示するための方法のフローチャートである。
【図２】本発明の別の実施形態による、ネットワーク名を表示するための方法のフローチャートである。
【図３】本発明の別の実施形態による、ネットワーク名を表示するための方法のフローチャートである。
【図４】本発明の別の実施形態による、ネットワーク名を表示するための方法のフローチャートである。
【図５】本発明の別の実施形態による、ネットワーク名を表示するための方法のフローチャートである。
【図６】本発明の実施形態によるネットワークデバイスの概略構造図である。
【図７】本発明の別の実施形態によるネットワークデバイスの概略構造図である。
【図８】本発明の実施形態によるMMEの概略構造図である。
【図９】本発明の別の実施形態によるネットワークデバイスの概略構造図である。
【図１０】本発明の別の実施形態によるネットワークデバイスの概略構造図である。
【図１１】本発明の別の実施形態によるMMEの概略構造図である。
【発明を実施するための形態】
【００５９】
本発明の実施形態の目的、技術的解決策、および利点をより明らかにするために、以下では、本発明の実施形態における技術的解決策について、本発明の実施形態における添付の図面を参照して、明快に説明する。明らかに、記載する実施形態は、本発明の実施形態のすべてではなく、一部である。創造的努力なしで、本発明の実施形態に基づいて当業者によって得られるすべての他の実施形態は、本発明の保護範囲内であるものとする。
【００６０】
上記のポリシー2のために、MMEによって送られるEMM Informationメッセージは随意のメッセージであり、すなわち、MMEは、EMM InformationメッセージをUEに送らなくてもよい。ただし、MMEがEMM InformationメッセージをUEに送らない場合、MMEは、UEが、LTEネットワークのPLMN IDに対応するネットワーク名を、またはCSドメインネットワークのPLMN IDに対応するネットワーク名を表示するのかは分からない。
【００６１】
別の態様では、たとえば、3Gネットワーク(高速アップリンクパケットアクセス(High Speed Uplink Packet Access、HSUPA)ネットワークなど)内でVoIPサービスを実施するとき、UEは、LTEネットワークにハンドオーバされる。この場合、ユーザが、VoIPサービスをダイヤルし、または受諾し、またはトリガすると、UEは、3Gネットワークのネットワーク名を表示し、したがって、ユーザは、UE上に現在表示されているネットワーク名に従って、UEが現在その中に存在するネットワークまたはUEにサービスしているネットワークが3Gネットワークであると判断する。ただし、UEが、LTEネットワークにハンドオーバされるように、VoIPサービスを実行するプロセス中にPSハンドオーバ(handover、HO)を実行した場合、UEは、LTEネットワーク上で複合追跡エリア更新手順(combined tracking area update)を実行するとき、LTEネットワーク内でMMEによって送られたEMM informationメッセージを受信する。この場合、UEは、EMM informationメッセージによって通知されたネットワーク名を表示する。3Gネットワークのネットワーク名が、EMM Informationメッセージによって通知されたネットワーク名とは異なる場合、ユーザ経験が低下し、不満を生じる場合がある。したがって、この問題を回避するために、このVoIPサービスのプロセス中に、PS HOの実行に起因する、UE上に表示されるネットワーク名の変更が回避される必要がある。
【００６２】
代替として、UEが、2Gネットワークまたは3Gネットワーク内でCSドメインボイスサービスを実行するとき、UE上に表示されるネットワーク名は、2Gネットワークまたは3Gネットワークのネットワーク名であってよい。ただし、ボイスサービスを実行する継続プロセス中に、逆単一無線ボイスコール継続性(Reverse Single Radio Voice Call Continuity、rSRVCC)が実行される必要があるとき、UEは、LTEネットワークまたは3Gネットワークにハンドオーバされる。この場合、UEは、現在使われているLTEネットワークまたは3GネットワークのPLMN IDに従って、対応するネットワーク名を表示し、または、UEが、3Gネットワーク内のSGSNによって送られたGMM informationまたはLTEネットワーク内のMMEによって送られたEMM informationメッセージを受信した場合、UEは、GMM InformationメッセージまたはEMM informationメッセージによって通知されたネットワーク名を表示する。この場合、UEがCSドメインボイスサービスをトリガしたときにUE上に表示されるネットワーク名は、UEがLTEまたは3GネットワークにハンドオーバされたときにUE上に表示されるネットワーク名と一致しない場合がある。
【００６３】
本発明のすべての実施形態におけるCSドメインネットワークは、2Gネットワークもしくは3Gネットワーク、または符号分割多元接続(code division multiple access、CDMA)ネットワークの1xRTTネットワークを含み得ることに留意されたい。
【００６４】
上記の問題を解決するために、本発明の実施形態は、ネットワーク名を表示するための方法を提供する。図1に示すように、この方法は、以下のステップを含む。
【００６５】
ステップ110:複合接続手順または複合追跡エリア更新手順のプロセス中に、第1のネットワーク内のモビリティ管理エンティティMMEが、第1のネットワークに対応するパブリック・ランド・モバイル・ネットワーク・アイデンティティPLMN IDが属す事業者が、第2のネットワークに対応するPLMN IDが属す事業者と同じかどうか判断する。
【００６６】
ステップ120:第1のネットワークに対応するパブリック・ランド・モバイル・ネットワーク・アイデンティティPLMN IDが属す事業者が、第2のネットワークに対応するPLMN IDが属す事業者と異なる場合、MMEはネットワーク名情報をUEに送り、そうすることによって、UEは、ネットワーク名情報に対応するネットワーク名を表示し、第1のネットワークおよび第2のネットワークは、UEが複合接続手順または複合追跡エリア更新手順中に共同で登録するネットワークであり、第1のネットワークはロングタームエボリューションLTEネットワークであり、第2のネットワークは2Gネットワークまたは3Gネットワークである。
【００６７】
本実施形態では、第1のネットワーク内のモビリティ管理デバイスは、UEにネットワーク名情報を送り、そうすることによってUEは、受信したネットワーク名情報に従って、対応するネットワーク名を表示することができ、そうすることによって、モビリティ管理デバイスは、UEが、LTEネットワークのPLMN IDに対応するネットワーク名を、またはCSドメインネットワークのPLMN IDに対応するネットワーク名を表示するか分からないという問題、およびUEは、PLMN IDに対応して、どのネットワーク名を表示するべきか判断することができないという問題を回避する。
【００６８】
本発明の別の実施形態は、ネットワーク名を表示するための方法をさらに提供する。図2に示すように、この方法は、以下のステップを含む。
【００６９】
ステップ210:複合接続手順または複合追跡エリア更新手順のプロセス中に、第1のネットワーク内のモビリティ管理エンティティMMEが、第1のネットワークに対応するパブリック・ランド・モバイル・ネットワーク・アイデンティティPLMN IDが属す事業者が、第2のネットワークに対応するPLMN IDが属す事業者と同じかどうか判断する。
【００７０】
第1のネットワークは、UEが複合的なやり方で接続するネットワークのうち1つ、たとえば、LTEネットワークである。
【００７１】
ステップ220:異なる場合、MMEはネットワーク名情報をUEに送り、MMEによって送られたネットワーク名情報を受信した後、UEは、ネットワーク名情報に対応するネットワーク名を表示し、第1のネットワークおよび第2のネットワークは、UEが複合接続手順または複合追跡エリア更新手順中に共同で登録するネットワークであり、第1のネットワークはロングタームエボリューションLTEネットワークであり、第2のネットワークは2Gネットワークまたは3Gネットワークである。
【００７２】
ネットワーク名情報は、ネットワーク名であってよく、PLMN IDであってもよく、さらに、ネットワーク名およびPLMN IDであってよい。
【００７３】
具体的には、複合接続手順または複合追跡エリア更新手順が実行された場合、UEは、LTEネットワークおよび2Gネットワークに複合的なやり方で接続し、またはLTEネットワークおよび3Gネットワークに複合的なやり方で接続し、MMEはLTEネットワーク内のMMEであってよく、MMEは、EMM informationメッセージを使って、UEにネットワーク名情報を送ればよい。従来技術との違いは、本実施形態では、LTEネットワークのPLMN IDが属す事業者が、CSドメインネットワークのPLMN IDが属す事業者とは異なるとMMEが判断した場合、EMM informationメッセージは、送られなければならないメッセージであり、随意のメッセージではないということにある。
【００７４】
LTEネットワークのPLMN IDが属す事業者が、2Gまたは3GネットワークのPLMN IDが属す事業者とは異なる場合、MMEはUEにネットワーク名情報を送り、ネットワーク名情報は、MMEのホームPLMN IDであってよく、LTEネットワークのPLMN IDであってもよく、さらに、CSドメインネットワークのPLMN IDであってよい。
【００７５】
さらに、本実施形態では、LTEネットワークのPLMN IDが属す事業者が、2Gまたは3GネットワークのPLMN IDが属す事業者と同じである場合、MMEは、EMM informationメッセージをUEに送ってもよく、またはEMM informationメッセージをUEに送らなくてもよい。すなわち、LTEネットワークのPLMN IDが属す事業者が、2Gまたは3GネットワークのPLMN IDが属す事業者と同じである場合、EMM informationメッセージは、依然として随意のメッセージである。
【００７６】
本発明の本実施形態では、LTEネットワークのPLMN IDが属す事業者が、2Gまたは3GネットワークのPLMN IDが属す事業者とは異なるとMMEが判断した場合、MMEは、EMM InformationメッセージをUEに送り、このメッセージは、送られなければならないメッセージである。こうすることにより、CSFB複合接続手順および複合追跡エリア更新手順を実行するプロセス中またはその後で、UEが、どのネットワーク名を表示するべきか判断することができないという問題が回避される。さらに、端末上で表示されるネットワーク名が、モビリティ管理デバイスによって記録される、UE上に表示されるネットワーク名と一致することが保証され、そうすることによって、UE上に表示されるネットワーク名が実行プロセス中に変化するという問題を回避し、UE上に表示されるネットワーク名とネットワークデバイスに記憶されるネットワーク名との一貫性を保証し、ユーザ経験を向上させる。
【００７７】
さらに、第1のネットワークがLTEネットワークである場合、CSFBサービスを実行するプロセス中に、UEは第1のネットワークから第2のネットワークにフォールバックする。この場合、UE上に表示されるネットワーク名は変化する場合があり、このことは、不十分なユーザ経験を容易に引き起こす。同様に、UEは、ボイスサービスを実行するとき、同じ問題に遭遇する場合がある。この問題を克服するために、上記の方法は、以下のステップをさらに含み得る。
【００７８】
ステップ230:サービスを実行するプロセス中に、UEは第2のネットワークに切り替わり、MMEは、第2のネットワーク内の第1のモビリティ管理デバイスにネットワーク名情報を送り、そうすることによって、第2のネットワーク内の第1のモビリティ管理デバイスは、ネットワーク名情報に対応するネットワーク名を、表示するためにUEに送り、またはサービスを実行するプロセス中に、UEは、第3のネットワークに切り替わり、MMEは、第3のネットワーク内の第2のモビリティ管理デバイスにネットワーク名情報を送り、そうすることによって、第3のネットワーク内の第2のモビリティ管理デバイスは、ネットワーク名情報に対応するネットワーク名を、表示するためにUEに送る。
【００７９】
具体的には、UEが第2のネットワークにフォールバックできるようにするために、回線交換フォールバックCSFBサービスが実行され、MMEは、ネットワーク名情報を第2のネットワーク内のモビリティ管理デバイスに送り、第2のネットワーク内のモビリティ管理デバイスは、ネットワーク名情報をUEに送り、UEは、ネットワーク名情報に対応するネットワーク名を表示する。この場合、第2のネットワークはLTEネットワークである。
【００８０】
代替として、UEが第2のネットワークにハンドオーバされるのを可能にするために、ボイスサービスが実行され、MMEは、ネットワーク名情報を第2のネットワーク内のモビリティ管理デバイスに送り、第2のネットワーク内のモビリティ管理デバイスは、ネットワーク名情報をUEに送り、UEは、ネットワーク名情報に対応するネットワーク名を表示する。
【００８１】
MMEは、第2のネットワーク内のモビリティ管理デバイスに、UEに以前送られたネットワーク名情報を送り、第2のネットワーク内のモビリティ管理デバイスは、ネットワーク名情報を、表示するためにUEに送る。このように、UEにおいて表示されるネットワーク名は、以前表示されたネットワーク名と同じである。
【００８２】
本発明の別の実施形態は、ネットワーク名を表示するための方法を提供する。
【００８３】
従来技術では、UEがLTEネットワークに接続した後、UEは、LTEネットワークのネットワーク名を表示する。ただし、CSFBサービスが、UEを、2Gネットワークまたは3Gネットワークにフォールバックするようにトリガするか、またはボイスサービスが2Gネットワーク、3Gネットワーク、または4Gネットワーク(たとえば、LTEネットワーク)に切り替えられると、UEは、UEが現在存在する2Gネットワーク、3Gネットワーク、または4Gネットワークのネットワーク名を表示する。代替として、UEが、2Gネットワークまたは3Gネットワークにフォールバックし、またはボイスサービスが2Gネットワーク、3Gネットワーク、または4Gネットワーク(たとえば、LTEネットワーク)に切り替えられた場合、UEは、2Gネットワークまたは3Gネットワーク内のSGSNによって送られたGPRSモビリティ管理情報(GPRS mobility management information、GMM information)メッセージを受信し、またはUEが、2Gネットワークまたは3Gネットワーク内のMSC/VLRによって送られたモビリティ管理情報(mobile management information、MM Information)メッセージを受信した場合、UEは、GMM informationメッセージまたはMM informationメッセージによって通知されたネットワーク名を表示し、またはUEが、4Gネットワーク内のMMEによって送られたE-UTRANモビリティ管理情報(E-UTRAN mobile management information、EMM Information)メッセージを受信した場合、UEは、EMM informationメッセージによって通知されたネットワーク名を表示する。
【００８４】
代替として、従来技術では、UEが、ボイスオーバーインターネットプロトコル(Voice over Internet Protocol、VoIP)サービスを3Gネットワークにおいて実施すると、UEは、LTEネットワークにハンドオーバされる。この場合、ユーザが、VoIPサービスをダイヤルし、または受諾し、またはトリガすると、UEは、3Gネットワークのネットワーク名を表示し、したがって、ユーザは、UEにおいて現在表示されているネットワーク名に従って、UEが現在その中に存在するネットワークまたはUEにサービスしているネットワークが3Gネットワークであると判断する。ただし、UEが、LTEネットワークにハンドオーバされるように、VoIPサービスを実行するプロセス中にPSハンドオーバ(PS handover)を実行し、LTEネットワークにおいて複合追跡エリア更新手順を実行した場合、UEは、受信されたEMM informationによって通知されたネットワーク名を表示し、または、EMM informationがUEによって受信されない場合、UEは、UEが現在置かれているネットワークのネットワーク名を表示する。
【００８５】
ただし、UEがLTEネットワークに接続した後にUE上に表示されるネットワーク名が、UEが2Gネットワークまたは3GネットワークにフォールバックしたときにUE上に表示されるネットワーク名と一致せず、またはVoIPサービスを実行するプロセス中にUE上に表示されるネットワーク名が一致しない場合、ユーザ経験は不十分であり、これにより、ユーザの不満が容易に引き起こされる。
【００８６】
たとえば、CSFBサービスを実行するプロセス中に、ユーザが、CSFBサービスをダイヤルし、または受諾し、またはトリガすると、UE上に表示されるネットワーク名は、LTEネットワークのネットワーク名であり得る。ただし、UEが2Gネットワークにフォールバックすると、UEは、現在使われている2GネットワークのPLMN IDに従って、対応するネットワーク名を表示し、またはUEが3Gネットワークにフォールバックすると、UEは、現在使われている3GネットワークのPLMN IDに従って、対応するネットワーク名を表示する。代替として、UEが、2Gネットワークもしくはまたは3Gネットワーク内のSGSNによって送られたGMM informationメッセージを受信し、またはUEが、2Gネットワークまたは3Gネットワーク内のMSC/VLRによって送られたMM informationメッセージを受信した場合、UEは、GMM informationメッセージまたはMM informationメッセージによって通知されたネットワーク名を表示する。この場合、ユーザが、CSFBサービスをダイヤルし、または受諾し、またはトリガしたときにUE上に表示されるネットワーク名は、UEが2Gネットワークまたは3GネットワークにフォールバックしたときにUE上に表示されるネットワーク名とは一致しない場合がある。
【００８７】
別の例では、UEが、LTEネットワーク内でVoIPサービスをトリガすると、ユーザは、UE上に現在表示されているネットワーク名に従って、UEが現在その中に存在するネットワークまたはUEに現在サービスしているネットワークを判断する。この場合、UE上に表示されるネットワーク名は、LTEネットワークのネットワーク名であり得る。ただし、単一無線ボイスコール継続性(single radio voice call continuity、SRVCC)が、VoIPボイスサービスを実行するプロセス中に実行される必要があるとき、UEは、2Gネットワークまたは3Gネットワークにハンドオーバされ、この場合、UEは、現在使われている2Gネットワークまたは3GネットワークのPLMN IDに従って、対応するネットワーク名を表示し、またはUEが、2Gネットワークまたは3Gネットワーク内のSGSNによって送られたGMM informationメッセージを受信した場合、またはUEが、2Gネットワークまたは3Gネットワーク内のMSC/VLRによって送られたMM informationメッセージを受信した場合、UEは、GMM informationメッセージまたはMM informationメッセージによって通知されたネットワーク名を表示する。この場合、UEが、VoIPサービスをトリガしたときにUE上に表示されるネットワーク名は、UEが2Gネットワークまたは3GネットワークにフォールバックしたときにUE上に表示されるネットワーク名とは一致しない場合がある。
【００８８】
別の例では、UEが、2Gネットワークまたは3Gネットワーク内でCSドメインボイスサービスを実行するとき、UE上に表示されるネットワーク名は、2Gまたは3Gネットワークのネットワーク名であってよい。ただし、逆単一無線ボイスコール継続性(reverse single radio voice call continuity、rSRVCC)が、ボイスサービスを実行する継続プロセス中に実行される必要があるとき、UEは、LTEネットワークまたは3G(HSPAなど)ネットワークにハンドオーバされる。この場合、UEは、現在使われているLTEネットワークまたは3GネットワークのPLMN IDに従って、対応するネットワーク名を表示し、またはUEが、3Gネットワーク内のSGSNによって送られたGMM informationメッセージを受信し、またはLTEネットワーク内のMMEによって送られたEMM informationメッセージを受信した場合、またはUEが、3Gネットワーク内のMSC/VLRによって送られたMM informationメッセージを受信した場合、UEは、GMM Informationメッセージ、EMM informationメッセージまたはMM informationメッセージによって通知されたネットワーク名を表示する。この場合、UEがCSドメインボイスサービスをトリガしたときにUE上に表示されるネットワーク名は、UEがLTEまたは3GネットワークにハンドオーバされたときにUE上に表示されるネットワーク名と一致しない場合がある。
【００８９】
別の例では、UEが、2Gネットワークまたは3Gネットワーク内でCSドメインボイスサービスを実行するとき、UE上に表示されるネットワーク名は、2Gネットワークまたは3Gネットワークのネットワーク名であってよい。ただし、UEは、ボイスサービスを実行する継続プロセス中に、CSハンドオーバ(CS handover、CS HO)を実行する必要があり、したがってUEは、別の2Gネットワークまたは3Gネットワークにハンドオーバされる。この場合、UEは、ハンドオーバの後に使われる2Gネットワークまたは3GネットワークのPLMN IDに従って、対応するネットワーク名を表示するか、またはUEが、2Gネットワークまたは3Gネットワーク内のSGSN/MMEによって送られたGMM informationメッセージを受信した場合、またはUEが、2Gネットワークまたは3Gネットワーク内のMSC/VLRによって送られたMM informationメッセージを受信した場合、UEは、GMM informationメッセージまたはMM informationメッセージによって通知されたネットワーク名を表示する。この場合、UEがCSドメインボイスサービスをトリガしたときにUE上に表示されるネットワーク名は、UEが別の2Gネットワークまたは3GネットワークにハンドオーバされたときにUE上に表示されるネットワーク名と一致しない場合がある。
【００９０】
上記の問題を解決するために、本発明の別の実施形態は、ネットワーク名を表示するための方法を提供する。本実施形態における方法は、上記の実施形態におけるステップ230の後に、たとえば、ステップ240として実行されてもよく、または上記の実施形態から独立して実行されてもよいことに留意されたい。図3に示すように、この実施形態は、以下のステップを含む。
【００９１】
ステップ310:第1のネットワーク内の第1のモビリティ管理デバイスが、第1のネットワーク名情報を獲得し、第1のネットワーク名情報は、ユーザ機器UE上に現在表示されているネットワーク名、および/またはUE上に現在表示されているネットワーク名に対応するパブリック・ランド・モバイル・ネットワーク・アイデンティティPLMN IDであり、第1のネットワークは、UEが現在登録しているネットワークまたはUEが複合的なやり方で現在登録している2つのネットワークのうちのネットワークである。
【００９２】
ステップ320:UEが、サービスを実行するプロセス中に第2のネットワークに切り替わった場合、第1のモビリティ管理デバイスは、第2のネットワーク内の第2のモビリティ管理デバイスに第1のネットワーク名情報を送り、そうすることによって、第2のモビリティ管理デバイスは、第1のネットワーク名情報に対応するネットワーク名を、表示するためにUEに送る。
【００９３】
本実施形態では、第1のモビリティ管理デバイスは、UE上に現在表示されているネットワーク名の情報を、第2のネットワーク内の第2のモビリティ管理デバイスに送り、第2のネットワーク内の第2のモビリティ管理デバイスは、ネットワーク名の情報を、表示するためにUEに送る。このように、UE上に表示されるネットワーク名は、以前表示されたネットワーク名と同じになる。
【００９４】
対応して、上記の問題を解決するために、本発明の別の実施形態は、ネットワーク名を表示するための方法を提供し、この方法は、第2のネットワーク内の第2のモビリティ管理デバイスによって実行される方法である。図4に示すように、この実施形態は、以下のステップを含む。
【００９５】
ステップ410:ユーザ機器UEが、UEが第1のネットワーク内でサービスを実行するプロセス中に、第1のネットワークから第2のネットワークに切り替わった場合、第2のネットワーク内の第2のモビリティ管理デバイスは、第1のネットワーク内の第1のモビリティ管理デバイスによって送られたネットワーク名情報を受信し、ネットワーク名情報は、UE上で現在表示されているネットワーク名、および/またはUE上で現在表示されているネットワーク名に対応するパブリック・ランド・モバイル・ネットワーク・アイデンティティPLMN IDである。
【００９６】
ステップ420:第2のモビリティ管理デバイスが、ネットワーク名情報に対応するネットワーク名を、表示するためにUEに送る。
【００９７】
本実施形態では、第1のモビリティ管理デバイスは、UE上に現在表示されているネットワーク名の情報を、第2のネットワーク内の第2のモビリティ管理デバイスに送り、第2のネットワーク内の第2のモビリティ管理デバイスは、ネットワーク名の情報を、表示するためにUEに送る。このように、UE上に表示されるネットワーク名は、以前表示されたネットワーク名と同じになる。
【００９８】
対応して、上記の問題を解決するために、本発明の別の実施形態は、ネットワーク名を表示するための方法を提供する。図5に示すように、この実施形態は、以下のステップを含む。
【００９９】
ステップ510:第1のネットワーク内の第1のモビリティ管理デバイスが、UE上で現在表示されているネットワーク名に対応するネットワーク名情報を獲得する。
【０１００】
ネットワーク名情報は、UE上に現在表示されているネットワーク名、および/またはUE上に現在表示されているネットワーク名に対応するPLMN IDであり、第1のネットワークは、UEが現在登録しているネットワークである。UEは、2つのネットワークに同時に登録し、たとえば、複合接続手順を使って、2つのネットワーク、たとえば、2Gまたは3GネットワークおよびLTEネットワークに登録することができる。
【０１０１】
第1のモビリティ管理デバイスは、複数のやり方で、UE上に現在表示されているネットワーク名に対応するネットワーク名情報を獲得することができる。
【０１０２】
たとえば、UEが、ネットワークへの登録に成功した後、UEは、登録されたネットワークのネットワーク名を表示する。UE上に表示されるネットワーク名は、上記の実施形態または背景技術において紹介した方法において記載したように、モビリティ管理デバイスによって送られたネットワーク名情報に従って表示され得る。この場合、UEが第1のネットワークへの登録に成功したプロセス中に、第1のモビリティ管理デバイスは、ネットワークネットワーク情報をUEに送る。したがって、第1のモビリティ管理デバイスは、第1のモビリティ管理デバイスによって送られるネットワーク名情報に対応するネットワーク名を獲得することができる。
【０１０３】
代替として、UEは、事前構成に従ってネットワーク名を表示することもできる。この場合、UE上に表示され、第1のモビリティ管理デバイスによって記録されるネットワーク名情報と、UE上に実際に表示されるネットワーク名との間の一貫性を保つために、第1のモビリティ管理デバイスは、UE側におけるのと同じ構成を有する。したがって、第1のモビリティ管理デバイスは、この構成に従って、UE上に表示されるネットワーク名に対応するPLMNアイデンティティを獲得することができる。
【０１０４】
UEは、UEの構成に従ってネットワーク名を表示し、この構成は、複数の実装方式を有する。たとえば、構成は次のようであってよく、すなわちUEは、登録されたネットワークのPLMNアイデンティティに対応するネットワーク名を表示し、またはUEは、複数の獲得されたPLMNアイデンティティのうち、所定のPLMNアイデンティティに対応するネットワーク名を表示する、などである。ただし、構成にかかわらず、同じ構成がモビリティ管理デバイス上に存在する。
【０１０５】
異なるネットワークに対しては、第1のモビリティ管理デバイスは異なり得ることに留意されたい。たとえば、第1のモビリティ管理デバイスは、MME、SGSN、またはMSC serverであり得る。
【０１０６】
たとえば、第1のモビリティ管理デバイスはMMEである。UEが、複合接続(combined attach)手順または複合追跡エリア更新(combined tracking area update)手順を実行した後、UEは、EMM informationを使ってMMEによって送られた、表示されるべきネットワーク名、または複合接続受諾(combined attach accept)メッセージまたは複合追跡エリア受諾(combined tracking area accept)メッセージを使って送られたPLMN IDを受信し、受信したPLMN IDに対応するネットワーク名を表示し、または受信したネットワーク名を表示し、ここでPLMNアイデンティティは、MMEが属すPSネットワークのPLMNアイデンティティ(すなわち、LTE PLMN ID)であり、またはPLMNアイデンティティは、MSC serverを使ってMMEによって登録されたCSネットワークのPLMNアイデンティティ(すなわち、CS PLMN ID)である。MMEは、UEに送られたPLMNアイデンティティに従って、PLMNアイデンティティが、UE上に表示されるネットワーク名に対応するPLMNアイデンティティであると判断することができる。代替として、MMEは、UEにモビリティ管理情報を送らず、UEは、UEの構成に従ってネットワーク名を表示する。この場合、MMEはまた、MME上の同じ構成に従って、UE上に表示されるネットワーク名に対応するPLMNアイデンティティを判断する。代替として、MMEは、UEに送られたネットワーク名に従って、UE上に表示されるネットワーク名を判断することができる。
【０１０７】
別の例では、モビリティ管理デバイスはSGSNまたはMSC serverである。SGSNまたはMSC serverは、登録されたPLMNアイデンティティに従って、GMM informationメッセージまたはMM Informationメッセージ中でネットワーク名情報を搬送し、ネットワーク名情報をUEに送る。UEは、受信したネットワーク名をユーザに対して表示する。PLMNアイデンティティは、SGSNまたはMSC serverによって登録されたPLMNアイデンティティである。代替として、SGSNまたはMSC serverは、UEに送られたネットワーク名に従って、UE上に表示されるネットワーク名を判断することができる。
【０１０８】
当然ながら、モビリティ管理デバイスは、別のやり方で、たとえば、UEとの対話を用いて、ネットワーク名情報を獲得することもできる。ネットワーク名情報を獲得することができるどの方法が、本発明の本実施形態に適用されてもよい。
【０１０９】
ステップ520:サービスを実行するプロセス中に、UEを第2のネットワークに切り替え、第1のモビリティ管理デバイスは、第2のネットワーク内の第2のモビリティ管理デバイスにネットワーク名情報を送り、第2のモビリティ管理デバイスは、UEに、ネットワーク名情報に対応するネットワーク名を送り、UEは、受信したネットワーク名を表示する。
【０１１０】
具体的には、UEは、CSFBサービスを実行するプロセス中に、第2のネットワークにフォールバックし、第1のモビリティ管理デバイスは、第2のモビリティ管理デバイスにネットワーク名情報を送り、第2のモビリティ管理デバイスは、UEに、ネットワーク名情報に対応するネットワーク名を送り、UEは、受信したネットワーク名を表示する。この場合、第1のネットワークはLTEネットワークであり、第2のネットワークはCSドメインネットワークである。UEが、LTEに接続するとき、複合的なやり方で第3のネットワークに接続した場合、第2のネットワークは、第3のネットワークと同じであっても、または異なってもよい。
【０１１１】
代替として、UEは、ボイスサービスを実行するプロセス中に、第2のネットワークにハンドオーバされ、第1のモビリティ管理デバイスは、第2のモビリティ管理デバイスにネットワーク名情報を送り、第2のモビリティ管理デバイスは、UEに、ネットワーク名情報に対応するネットワーク名を送り、UEは、受信したネットワーク名を表示する。この場合、第1のネットワークおよび第2のネットワークは、LTEネットワーク、2Gネットワーク、および3Gネットワークのうち1つであってよく、第1のネットワークは、第2のネットワークとは異なる。UEが、第1のネットワークに接続するとき、複合的なやり方で第3のネットワークに接続した場合、第2のネットワークは、第3のネットワークと同じであっても、または異なってもよい。
【０１１２】
たとえば、第1のネットワークがLTEネットワークである場合、第2のネットワークは2Gネットワークまたは3Gネットワークである。UEが、第1のネットワークから第2のネットワークにハンドオーバまたはフォールバックした後、第2のネットワーク内のMSC serverまたはSGSNは、モビリティ管理情報(たとえば、MM InformationまたはGMM Information)をUEに送り、UEは、受信したネットワーク名を表示し、ここでモビリティ管理情報はネットワーク名を搬送し、そうすることによってUEは、ハンドオーバまたはフォールバックの後、表示されるネットワーク名を依然として不変に保つが、ネットワークのネットワーク名は表示しない。
【０１１３】
第2のモビリティ管理デバイスは、ネットワーク名情報に従って、対応するネットワーク名を獲得し、次いで、対応するネットワーク名をUEに送ればよい。たとえば、
【０１１４】
ネットワーク名情報が、UE上に現在表示されているネットワーク名である場合、第2のモビリティ管理デバイスは、ネットワーク名情報に従ってネットワーク名を直接獲得し、そのネットワーク名をUEに送る。
【０１１５】
第1のネットワーク名情報が、UE上に現在表示されているネットワーク名に対応するPLMN IDである場合、第2のモビリティ管理デバイスは、PLMN IDに従って、PLMN IDに対応するネットワーク名を獲得し、そのネットワーク名をUEに送ればよい。各PLMN IDとネットワーク名との間の対応は、第2のモビリティ管理デバイスにあらかじめ記憶されている。当然ながら、この対応は、別のやり方でも獲得することができる。
【０１１６】
代替として、第1のネットワーク名情報が、UE上に現在表示されているネットワーク名、およびUE上に現在表示されているネットワーク名に対応するPLMN IDである場合、第2のモビリティ管理デバイスは、ネットワーク名情報に従ってネットワーク名を直接獲得し、そのネットワーク名をUEに送ってもよい。
【０１１７】
随意には、第1のモビリティ管理デバイスは、ネットワーク名情報を、複数のやり方で第2のモビリティ管理デバイスに送る。たとえば、第1のモビリティ管理デバイスは、第2のモビリティ管理デバイスに要求メッセージを送り、ここで要求メッセージはネットワーク名情報を含み、要求メッセージは、位置更新要求メッセージまたはサービス要求メッセージを含むが、それに限定されない。
【０１１８】
第1の例において、UEがCSFBサービスを実行すると、MMEは、MSC serverに送られる位置更新要求メッセージ(location update request)中でネットワーク名情報を搬送することができる。
【０１１９】
第2の例において、UEは、CSFBボイスサービスの被呼側として働き、MMEは、MSC serverに送られるサービス要求メッセージ(service request)中でネットワーク名情報を搬送することができ、またはUEは、CSFBボイスサービスの起呼側として働き、MMEは、MSC serverに送られるサービス要求メッセージservice requestまたは別の要求メッセージ中でネットワーク名情報を搬送することができる。
【０１２０】
第3の例において、UEが、CSFBサービスを実行し始める前に、第1のMSC serverがUEにサービスし、ここで第1のMSC serverは、第1の2Gまたは第1の3Gネットワークに対応するモビリティ管理デバイスであり、第1の2Gまたは第1の3Gネットワークは、UEが共同で登録しているネットワークのうちのCSドメインネットワークである。UEが、CSFBボイスサービスの被呼側または起呼側として働くとき、UEは、第2のMSC serverにフォールバックし、第2の2Gまたは第2の3Gネットワークにおいて、第2のMSC serverはUEにサービスする。第1のMSC serverが第2のMSC serverとは異なる場合、第2のMSC serverは、第1のMSC serverから第1のネットワーク名情報を獲得する必要がある。この場合、第2のMSC serverは、「識別送付メッセージ(send identification message)」を使って、第1のMSC/VLRからネットワーク名情報を獲得する。
【０１２１】
本発明の本実施形態は、CSFBボイスサービスには限定されず、すべてのCSFBサービスにも適用され、ここでCSFBサービスは、CSFBボイスサービス、CSFB位置(location control service、LCS)サービス、CSFB呼非依存補充(call independent supplementary service、CISS)サービス、およびCSFBショートメッセージサービスのうち1つを含むことに特に留意されたい。他のCSFBサービスは、CSFBボイスサービスと同じであり、詳細については、本明細書では繰り返しては記載しない。
【０１２２】
第4の例において、UEが、LTEネットワーク内でボイスオーバーインターネットプロトコル(Voice over Internet Protocol、VoIP)サービスを実施するとき、VoIPサービスが、LTEネットワークから別のPSドメインネットワーク、たとえば、高速アップリンクパケットアクセス(high speed uplink packet access、HSUPA)ネットワークにスイッチされた場合、MMEは、SGSNに送られるハンドオーバメッセージ中でネットワーク名情報を搬送する。
【０１２３】
第5の例において、UEが、3Gネットワーク(たとえば、HSUPAネットワーク)内でVoIPボイスサービスを実施すると、UEをLTEにハンドオーバするために、パケット交換(packet switched、PS)ハンドオーバ(handover、HO)が実行される。ハンドオーバプロセス中、SGSNは、MMEに送られるハンドオーバメッセージ中でネットワーク名情報を搬送する。
【０１２４】
第6の例において、UEが、LTEネットワーク内でVoIPボイスサービスを実施すると、UEを2Gまたは3G CSドメインにハンドオーバするために、単一無線ボイスコール継続性(single radio voice call continuity、SRVCC)が実行され、SGSNまたはMMEは、MSC serverに送られるPS to CSハンドオーバメッセージ中でネットワーク名情報を搬送することができる。
【０１２５】
第7の例において、UEが、2Gまたは3Gネットワーク内でCSボイスサービスを実行したとき、およびボイスサービスを実行する継続プロセス中に、UEをLTEネットワークまたはHSPAネットワークにハンドオーバするために、逆単一無線ボイスコール継続性(reverse single radio voice call continuity、SRVCC)が実行される必要があり、MSC serverは、SGSNまたはMMEに送られるCS to PSハンドオーバメッセージ中でネットワーク名情報を搬送する。
【０１２６】
第8の例において、UEが、2Gまたは3Gネットワーク内でCSボイスサービスを実行したとき、およびボイスサービスを実行する継続プロセス中に、UEを別の2Gまたは3Gネットワークにハンドオーバするために、回線交換ハンドオーバ(CS handover)が実行され、MSC serverは、MSC serverに送られるCS to CSハンドオーバメッセージ中でネットワーク名情報を搬送する。
【０１２７】
上記の例において、ネットワーク名情報は、上記のメッセージ中の新規追加情報要素に入れて搬送されてよく、新規追加情報要素はとりわけ、ネットワーク名情報を記憶するのに使われることに留意されたい。
【０１２８】
上記の第1のモビリティ管理デバイスおよび第2のモビリティ管理デバイスは、MSC/VLR、すなわち、MSC server、サービングGPRSサポートノード(Serving GPRS Support Node、SGSN)、またはMMEを含み得るが、それに限定されず、ここでMSC serverはSRVCCのMSC serverであってよく、rSRVCCのMSC serverであってもよく、さらにCSFBのMSC serverであってよいことに留意されたい。
【０１２９】
さらに、第2のネットワークが、純粋なPSドメインネットワーク、たとえば、LTEネットワークである場合、本実施形態における方法は終わり、第1のモビリティ管理デバイスは、純粋なPSドメインネットワーク内のモビリティ管理デバイスであり、第2のネットワークが、CSドメインがその中でPSドメインと共存する2Gまたは3Gネットワークなどのネットワークである場合、第1のモビリティ管理デバイスは、PSドメインネットワーク内のモビリティ管理デバイスであってよく、CSドメインネットワーク内のモビリティ管理デバイスであってもよく、本実施形態における方法は、ステップ530をさらに含む。
【０１３０】
本実施形態では、ネットワーク名情報は、UEが切り替わる先のネットワーク内のネットワークデバイスに送られ、そうすることによってネットワークデバイスは、ネットワーク名情報をUEに送ることができ、そうすることによって、UE上に表示されるネットワーク名と、切替え前に表示されるネットワーク名との間の一貫性を保ち、ユーザ経験を向上させる。
【０１３１】
ステップ530:第1のモビリティ管理デバイスは、第2のネットワーク内の第3のモビリティ管理デバイスに、UEにネットワーク名情報を送らないよう命令する。
【０１３２】
第1のモビリティ管理デバイスは、要求メッセージを送ることによって、第2のネットワーク内の第3のモビリティ管理デバイスに、UEへ、ネットワーク名および/またはネットワーク名に対応するPLMN IDを送らないよう命令することができ、ここで要求メッセージは指示情報を含み、この情報は、第2のモビリティ管理デバイスに、ネットワーク名および/またはネットワーク名に対応するPLMN IDを送らないよう命令するのに使われ、具体的には、指示情報は、第2のネットワーク内の第2のモビリティ管理デバイスに、モビリティ管理情報メッセージを送らないよう命令することができる。
【０１３３】
要求メッセージは、位置更新要求メッセージ、サービス要求メッセージ、ハンドオーバ要求メッセージ(たとえば、forward relocation requestメッセージ)、コンテキスト応答メッセージ(context response)、コンテキスト要求メッセージ(context request)、位置更新要求メッセージ(location update request)またはサービス要求メッセージ(service request)を含むが、それに限定されない。
【０１３４】
第1の例において、UEがCSFBサービスを実行すると、MMEは、MSC serverに送られる位置更新要求メッセージ(location update request)中で指示情報を搬送することができる。
【０１３５】
第2の例において、UEは、CSFBボイスサービスの被呼側として働き、MMEは、MSC serverに送られるservice request中で指示情報を搬送することができる。代替として、UEが、CSFBボイスサービスの起呼側としてサービスすると、MMEは、MSC serverに送られるservice requestまたは別の要求メッセージ中で指示情報を搬送することができる。
【０１３６】
第3の例において、UEが、SGSNがMMEからUEコンテキストをその中で獲得するプロセス中に、CSFBボイスサービスの起呼側としてサービスし、位置更新プロセスを実行すると、MMEは、SGSNに送られるcontext request中で指示情報を搬送することができる。
【０１３７】
第4の例において、UEが、CSFBサービスを実行し始める前に、第1のMSC serverがUEにサービスし、ここで第1のMSC serverは、第1の2Gまたは第1の3Gネットワークに対応するモビリティ管理デバイスであり、第1の2Gまたは第1の3Gネットワークは、ネットワークのうち、UEが共同で登録しているCSドメインネットワークである。UEが、CSFBボイスサービスの被呼側または起呼側としてサービスするとき、第1のMSC serverが第2のMSC serverとは異なる場合、第1のMSC serverは、「send identification」メッセージを使って、第2のMSC serverに指示情報を送る。
【０１３８】
第5の例において、UEが、LTEネットワーク内でVoIPボイスサービスを実施し、UEを2Gまたは3G CSドメインにハンドオーバするためにSRVCCが実行されると、SGSNまたはMMEは、MSC serverに送られるPS to CSハンドオーバメッセージ中で指示情報を搬送する。
【０１３９】
第6の例において、サービスがボイスサービスであるとき、MMEまたはSGSNは、MSC serverに送られるハンドオーバメッセージ中で指示情報を搬送する。
【０１４０】
第7の例において、サービスがボイスサービスであるとき、MMEは、MSCサーバに送られるPS to CSハンドオーバメッセージ中で指示情報を搬送する。
【０１４１】
上記の例において、指示情報は、上記のメッセージ中の新規追加情報要素に入れて搬送されてよく、新規追加情報要素はとりわけ、指示情報を記憶するのに使われることに留意されたい。
【０１４２】
さらに、第2のモビリティ管理デバイスが、PSドメインネットワーク内のモビリティ管理デバイスである場合、第3のモビリティ管理デバイスは、CSドメインネットワーク内のモビリティ管理デバイスであり、かつ第2のモビリティ管理デバイスが、CSドメインネットワーク内のモビリティ管理デバイスである場合、第3のモビリティ管理デバイスは、PSドメインネットワーク内のモビリティ管理デバイスである。
【０１４３】
本実施形態では、ネットワーク名情報は、UEが切り替わる先の2Gまたは3GネットワークのCSドメインまたはPSドメイン内の対応するモビリティ管理デバイスに送られ、指示情報は、CSドメインまたはPSドメイン内の別の対応するモビリティ管理デバイスに送られ、そうすることによってUEは、ただ1つのモビリティ管理デバイスによって送られた名称情報を獲得することができ、そうすることによって、UE上に表示されるネットワーク名と、切替え前に表示されるネットワーク名との間の一貫性を保ち、ユーザ経験を向上させる。
【０１４４】
上記の実施形態において提供される方法に基づいて、ある実施形態は、ネットワークデバイスをさらに提供し、このネットワークデバイスは、本発明の上記の第1の実施形態における、ネットワーク名を表示するための方法を実行することができる。本実施形態では、ネットワークデバイスの構造のみについて、簡単に記載する。具体的な原理については、方法実施形態の説明を参照されたい。図6に示すように、ネットワークデバイスは、獲得モジュール601および送付モジュール602を含む。
【０１４５】
獲得モジュール601は、第1のネットワーク名情報を獲得するように構成され、ここで第1のネットワーク名情報は、ユーザ機器UE上に現在表示されているネットワーク名、および/またはUE上に現在表示されているネットワーク名に対応するパブリック・ランド・モバイル・ネットワーク・アイデンティティPLMN IDであり、第1のネットワークは、UEが現在登録しているネットワークまたはUEが現在共同で登録している2つのネットワークのうちのネットワークである。
【０１４６】
送付モジュール602は、UEが、サービスを実行するプロセス中に第2のネットワークに切り替わった場合、獲得モジュール601によって獲得された第1のネットワーク名情報を、第2のネットワーク内の第2のモビリティ管理デバイスに送るように構成され、そうすることによって第2のモビリティ管理デバイスは、第1のネットワーク名情報に対応するネットワーク名を、表示するためにUEに送る。
【０１４７】
上記の実施形態における方法は、本実施形態では、本実施形態において達成され得る技術的効果のために実行することができるので、上記の実施形態における説明を参照し、詳細については、ここでは繰り返しては記載しない。
【０１４８】
さらに、第2のネットワークが2Gネットワークである場合、送付モジュール602は、第1のネットワーク名情報を第2のネットワーク内の第2のモビリティ管理デバイスに送った後、第2のネットワーク内の第3のモビリティ管理デバイスに、第2のネットワーク名情報をUEへ送らないよう命令するようにさらに構成され、ここで第2のネットワーク名情報は、任意のネットワーク名および/または任意のネットワーク名に対応するPLMN IDであり、第3のモビリティ管理デバイスは、2G内の回線交換ドメインのモビリティ管理デバイスであり、第2のモビリティ管理デバイスは、2Gネットワーク内のパケット交換ドメインのモビリティ管理デバイスであり、または、第3のモビリティ管理デバイスは、2Gネットワーク内のパケット交換ドメインのモビリティ管理デバイスであり、第2のモビリティ管理デバイスは、2Gネットワーク内の回線交換ドメインのモビリティ管理デバイスである。
【０１４９】
代替として、第2のネットワークが3Gネットワークである場合、送付モジュール602は、第1のネットワーク名情報を第2のネットワーク内の第2のモビリティ管理デバイスに送った後、第2のネットワーク内の第3のモビリティ管理デバイスに、第2のネットワーク名情報をUEへ送らないよう命令するようにさらに構成され、ここで第2のネットワーク名情報は、任意のネットワーク名および/または任意のネットワーク名に対応するPLMN IDであり、第3のモビリティ管理デバイスは、3G内の回線交換ドメインのモビリティ管理デバイスであり、第2のモビリティ管理デバイスは、3Gネットワーク内のパケット交換ドメインのモビリティ管理デバイスであり、または、第3のモビリティ管理デバイスは、3Gネットワーク内のパケット交換ドメインのモビリティ管理デバイスであり、第2のモビリティ管理デバイスは、3Gネットワーク内の回線交換ドメインのモビリティ管理デバイスである。
【０１５０】
さらに、送付モジュール602は、以下のようにして、第2のネットワーク内の第3のモビリティ管理デバイスに、第2のネットワーク名情報をUEへ送らないよう命令するように特に構成され、すなわち、要求メッセージを使って、第3のモビリティ管理デバイスに、第2のネットワーク名情報をUEへ送らないよう命令し、ここで要求メッセージは指示情報を含み、指示情報は、第3のモビリティ管理デバイスに、第2のネットワーク名情報をUEへ送らないよう命令するのに使われる。
【０１５１】
送付モジュール602は、指示情報を搬送する要求メッセージを送るように特に構成され、ここで指示情報は、第3のモビリティ管理デバイスに、UEへ、ユニバーサルモバイル通信システム地上無線アクセスネットワークE-UTRANモビリティ管理情報EMM informationメッセージ、または汎用パケット無線サービスGPRSモビリティ管理情報GMM informationメッセージもしくはモビリティ管理情報MM informationメッセージを送らないよう命令するのに特に使われる。
【０１５２】
さらに、サービスがCSFBサービスである場合、送付モジュール602は、以下のようにして、第1のネットワーク名情報を第2のモビリティ管理デバイスに送るように特に構成され、すなわち
更新要求メッセージまたはサービス要求メッセージを使って、第1のネットワーク名情報を第2のモビリティ管理デバイスに送り、ここで第1のモビリティ管理デバイスは第1のMMEであり、第2のモビリティ管理デバイスは第1のMSC serverであり、または
識別送付メッセージを使って、第1のネットワーク名情報を第2のモビリティ管理デバイスに送り、ここで第1のモビリティ管理デバイスは第1のMSC serverであり、第2のモビリティ管理デバイスは第2のMSC serverである。
【０１５３】
サービスがボイスサービスである場合、送付モジュール602は、以下のようにして、第1のネットワーク名情報を第2のモビリティ管理デバイスに送るように特に構成され、すなわち
ハンドオーバメッセージを使って、第1のネットワーク名情報を第2のモビリティ管理デバイスに送り、ここで第1のネットワークは第1のパケット交換ドメインネットワークであり、第2のネットワークは第2のパケット交換ドメインネットワークであり、または
パケット交換-回線交換PS to CSハンドオーバメッセージを使って、第1のネットワーク名情報を第2のモビリティ管理デバイスに送り、ここで第1のネットワークは第1のパケット交換ドメインネットワークであり、第2のネットワークは第2の回線交換ドメインネットワークであり、または
回線交換-パケット交換CS to PSハンドオーバメッセージを使って、第1のネットワーク名情報を第2のモビリティ管理デバイスに送り、ここで第1のネットワークは第1の回線交換ドメインネットワークであり、第2のネットワークは第2のパケット交換ドメインネットワークであり、または
回線交換-回線交換CS to CSハンドオーバメッセージを使って、第1のネットワーク名情報を第2のモビリティ管理デバイスに送り、ここで第1のネットワークは第1の回線交換ドメインネットワークであり、第2のネットワークは第2の回線交換ドメインネットワークである。
【０１５４】
さらに、サービスが回線交換フォールバックCSFBサービスである場合、送付モジュール602は、以下のようにして、および要求メッセージを使って、第3のモビリティ管理デバイスに、第2のネットワーク名情報をUEへ送らないよう命令するように特に構成され、すなわち
位置更新要求メッセージまたはサービス要求メッセージを使って、第3のモビリティ管理デバイスに、第2のネットワーク名情報をUEへ送らないよう命令し、ここで要求メッセージは位置更新要求メッセージまたはサービス要求メッセージであり、第1のネットワークはロングタームエボリューションネットワークであり、第1のモビリティ管理デバイスは第1のMMEであり、第2のモビリティ管理デバイスは第2のSGSNであり、第3のモビリティ管理デバイスは第2のMSC serverであり、または
コンテキスト要求メッセージまたはハンドオーバ要求メッセージを使って、第3のモビリティ管理デバイスに、第2のネットワーク名情報をUEへ送らないよう命令し、ここで要求メッセージはコンテキスト要求メッセージまたはハンドオーバ要求メッセージであり、第1のモビリティ管理デバイスは第1のMMEであり、第2のモビリティ管理デバイスは第2のMSC serverであり、第3のモビリティ管理デバイスは第2のSGSNであり、または
サービスがボイスサービスである場合、送付モジュール602は、以下のようにして、および要求メッセージを使って、第3のモビリティ管理デバイスに、第2のネットワーク名情報をUEへ送らないよう命令するように特に構成され、すなわち
ハンドオーバメッセージを送ることによって、第3のモビリティ管理デバイスに、第2のネットワーク名情報をUEへ送らないよう命令し、ここで要求メッセージはハンドオーバメッセージであり、第1のモビリティ管理デバイスは第1のMMEであり、第2のモビリティ管理デバイスは第2のSGSNであり、第3のモビリティ管理デバイスは第2のMSC serverであり、または
ハンドオーバメッセージを送ることによって、第3のモビリティ管理デバイスに、第2のネットワーク名情報をUEへ送らないよう命令し、ここで要求メッセージはハンドオーバメッセージであり、第1のモビリティ管理デバイスは第1のSGSNであり、第2のモビリティ管理デバイスは第2のMMEであり、第3のモビリティ管理デバイスは第2のMSC serverであり、または
パケット交換-回線交換PS to CSハンドオーバメッセージを送ることによって、第3のモビリティ管理デバイスに、第2のネットワーク名情報をUEへ送らないよう命令し、ここで要求メッセージはPS to CSハンドオーバメッセージであり、第1のモビリティ管理デバイスは第1のMMEであり、第2のモビリティ管理デバイスは第2のMSC serverであり、第3のモビリティ管理デバイスは第2のMMEであり、または
PS to CSハンドオーバメッセージを送ることによって、第3のモビリティ管理デバイスに、第2のネットワーク名情報をUEへ送らないよう命令し、ここで要求メッセージはPS to CSハンドオーバメッセージであり、第1のモビリティ管理デバイスは第1のMMEであり、第2のモビリティ管理デバイスは第2のSGSNであり、第3のモビリティ管理デバイスは第2のMSC serverである。
【０１５５】
加えて、ネットワークデバイスは、記憶モジュール603をさらに含み得る。
【０１５６】
記憶モジュール603は、第1の構成を記憶するように構成され、ここで第1の構成は、所定のネットワーク名および/または所定のネットワーク名に対応するPLMN IDであり、第1の構成はUEの第2の構成と同じであり、UEは、UEの第2の構成に従ってネットワーク名を表示し、獲得モジュール601は、以下のようにして、第1のネットワーク名情報を獲得するように特に構成され、すなわち、記憶モジュールによって記憶されている第1の構成に対応する第1のネットワーク名情報を獲得し、または
送付モジュール602は、UEに、UE上に現在表示されているネットワーク名を送るようにさらに構成され、記憶モジュール603は、送付モジュール602によって送られたネットワーク名を記憶するように構成され、ここで獲得モジュールは、以下のようにして、第1のネットワーク名情報を獲得するように構成され、すなわち、記憶モジュール603によって記憶されているネットワーク名に対応する第1のネットワーク名情報を獲得する。
【０１５７】
本実施形態におけるネットワークデバイスは、上記の実施形態における方法を実行することができる。詳細については、上記の実施形態における説明を参照されたい。さらに、ネットワークデバイスによって達成され得る技術的効果は上記の実施形態のものと同じであり、詳細については、ここでは繰り返しては記載しない。
【０１５８】
さらに、本発明の実施形態は、通信システムをさらに提供し、この通信システムは、上記の実施形態における2つのネットワークデバイスを含む。ネットワークデバイスの具体的な構造および機能については、上記の実施形態を参照し、詳細については、ここでは繰り返しては記載しない。
【０１５９】
上記の実施形態において提供される方法に基づいて、ある実施形態はネットワークデバイスをさらに提供し、このネットワークデバイスは、本発明の実施形態における方法を実行することができる。本実施形態では、ネットワークデバイスの構造のみについて、簡単に記載する。具体的な原理については、方法実施形態の説明を参照されたい。図7に示すように、ネットワークデバイスは、受信モジュール701および送付モジュール702を含む。
【０１６０】
受信モジュール701は、第1のネットワーク内でサービスを実行するプロセス中に、ユーザ機器UEが、第1のネットワークから第2のネットワークに切り替わった場合、第1のネットワーク内の第1のモビリティ管理デバイスによって送られたネットワーク名情報を受信するように構成され、ここでネットワーク名情報は、UE上に現在表示されているネットワーク名、および/またはUE上に現在表示されているネットワーク名に対応するパブリック・ランド・モバイル・ネットワーク・アイデンティティPLMN IDである。
【０１６１】
送付モジュール702は、受信モジュール701によって受信されたネットワーク名情報に対応するネットワーク名を、表示するためにUEに送るように構成される。
【０１６２】
サービスが回線交換フォールバックCSFBサービスである場合、受信モジュール701は、以下のようにして、第1のモビリティ管理デバイスによって送られたネットワーク名情報を受信するように特に構成され、すなわち
更新要求メッセージまたはサービス要求メッセージを使って、第1のモビリティ管理デバイスによって送られたネットワーク名情報を受信し、ここで第1のモビリティ管理デバイスはモビリティ管理エンティティMMEであり、第2のモビリティ管理デバイスはモバイル交換センターサーバである第2のMSC serverであり、または
識別送付メッセージを使って、第1のモビリティ管理デバイスによって送られたネットワーク名情報を受信し、ここで第1のモビリティ管理デバイスは第1のMSC serverであり、第2のモビリティ管理デバイスは第2のMSC serverである。
【０１６３】
サービスはボイスサービスである。
【０１６４】
受信モジュール701は、以下のようにして、第1のモビリティ管理デバイスによって送られたネットワーク名情報を受信するように特に構成され、すなわち
ハンドオーバメッセージを使って、第1のモビリティ管理デバイスによって送られたネットワーク名情報を受信し、ここで第1のネットワークは第1のパケット交換ドメインネットワークであり、第2のネットワークは第2のパケット交換ドメインネットワークであり、または
パケット交換-回線交換PS to CSハンドオーバメッセージを使って、第1のモビリティ管理デバイスによって送られたネットワーク名情報を受信し、ここで第1のネットワークは第1のパケット交換ドメインネットワークであり、第2のネットワークは第2の回線交換ドメインネットワークであり、または
回線交換-パケット交換CS to PSハンドオーバメッセージを使って、第1のモビリティ管理デバイスによって送られたネットワーク名情報を受信し、ここで第1のネットワークは第1の回線交換ドメインネットワークであり、第2のネットワークは第2のパケット交換ドメインネットワークであり、または
回線交換-回線交換CS to CSハンドオーバメッセージを使って、第1のモビリティ管理デバイスによって送られたネットワーク名情報を受信し、ここで第1のネットワークは第1の回線交換ドメインネットワークであり、第2のネットワークは第2の回線交換ドメインネットワークである。
【０１６５】
本実施形態におけるネットワークデバイスは、上記の実施形態における方法を実行することができる。詳細については、上記の実施形態における説明を参照されたい。さらに、ネットワークデバイスによって達成され得る技術的効果は上記の実施形態のものと同じであり、詳細については、ここでは繰り返しては記載しない。
【０１６６】
上記の実施形態において提供される方法に基づいて、ある実施形態は、MMEをさらに提供する。MMEは、第1のネットワーク内のMMEであり、上記の本発明の実施形態における方法を実行することができる。本実施形態では、MMEの構造のみについて、簡単に記載する。具体的な原理については、上記方法実施形態の説明を参照されたい。図8に示すように、MMEは、判断モジュール801および送付モジュール802を含む。
【０１６７】
判断モジュール801は、複合接続手順または複合追跡エリア更新手順のプロセス中に、第1のネットワークに対応するパブリック・ランド・モバイル・ネットワーク・アイデンティティPLMN IDが属す事業者が、第2のネットワークに対応するPLMN IDが属す事業者と同じかどうか判断し、第1のネットワークに対応するパブリック・ランド・モバイル・ネットワーク・アイデンティティPLMN IDが属す事業者が、第2のネットワークに対応するPLMN IDが属す事業者と異なる場合、送付モジュール802に、ネットワーク名情報を送るよう命令するように構成される。
【０１６８】
送付モジュール802は、ネットワーク名情報をユーザ機器UEに送るように構成され、そうすることによって、UEは、ネットワーク名情報に対応するネットワーク名を表示し、ここで第1のネットワークおよび第2のネットワークは、UEが複合接続手順または複合追跡エリア更新手順中に共同で登録するネットワークであり、第1のネットワークはロングタームエボリューションLTEネットワークであり、第2のネットワークは2Gネットワークまたは3Gネットワークである。
【０１６９】
さらに、送付モジュール802は、以下のようにして、ネットワーク名情報をUEに送るように特に構成され、すなわち、ユニバーサルモバイル通信システム地上無線アクセスネットワークE-UTRANモビリティ管理情報EMM informationメッセージを使って、ネットワーク名情報をUEに送る。
【０１７０】
さらに、送付モジュール802は、ネットワーク名情報をUEに送った後、UEが、サービスを実行するプロセス中に第2のネットワークに切り替わった場合、第2のネットワーク内の第1のモビリティ管理デバイスにネットワーク名情報を送るようにさらに構成され、そうすることによって第2のネットワーク内の第1のモビリティ管理デバイスは、ネットワーク名情報に対応するネットワーク名を、表示するためにUEに送り、または
送付モジュール802は、ネットワーク名情報をUEに送った後、UEが、サービスを実行するプロセス中に第2のネットワークに切り替わった場合、第3のネットワーク内の第2のモビリティ管理デバイスにネットワーク名情報を送るようにさらに構成され、そうすることによって第3のネットワーク内の第2のモビリティ管理デバイスは、ネットワーク名情報に対応するネットワーク名を、表示するためにUEに送る。
【０１７１】
本実施形態におけるMMEは、上記の実施形態における方法を実行することができる。詳細については、上記の実施形態における説明を参照されたい。さらに、MMEによって達成され得る技術的効果は上記の実施形態のものと同じであり、詳細については、ここでは繰り返しては記載しない。
【０１７２】
本発明の別の実施形態は、ネットワークデバイスをさらに提供し、このネットワークデバイスは、第1のネットワーク内の第1のモビリティ管理デバイスである。ネットワークデバイスは、上記の本発明の実施形態における、ネットワーク名を表示するための方法を実行することができる。本実施形態では、ネットワークデバイスの構造のみについて、簡単に記載する。具体的な原理については、上記方法実施形態の説明を参照されたい。図9に示すように、ネットワークデバイスは、プロセッサ901および送信機902を含む。
【０１７３】
プロセッサ901は、第1のネットワーク名情報を獲得するように構成され、ここで第1のネットワーク名情報は、ユーザ機器UE上に現在表示されているネットワーク名、および/またはUE上に現在表示されているネットワーク名に対応するパブリック・ランド・モバイル・ネットワーク・アイデンティティPLMN IDであり、第1のネットワークは、UEが現在登録しているネットワークまたはUEが現在共同で登録している2つのネットワークのうちのネットワークである。
【０１７４】
送信機902は、UEが、サービスを実行するプロセス中に第2のネットワークに切り替わった場合、プロセッサ901によって獲得された第1のネットワーク名情報を、第2のネットワーク内の第2のモビリティ管理デバイスに送るように構成され、そうすることによって第2のモビリティ管理デバイスは、第1のネットワーク名情報に対応するネットワーク名を、表示するためにUEに送る。
【０１７５】
本実施形態におけるネットワークデバイスは、上記の実施形態における方法を実行することができる。詳細については、上記の実施形態における説明を参照されたい。さらに、ネットワークデバイスによって達成され得る技術的効果は上記の実施形態のものと同じであり、詳細については、ここでは繰り返しては記載しない。
【０１７６】
さらに、第2のネットワークが2Gネットワークである場合、送信機902は、第1のネットワーク名情報を第2のネットワーク内の第2のモビリティ管理デバイスに送った後、第2のネットワーク内の第3のモビリティ管理デバイスに、第2のネットワーク名情報をUEへ送らないよう命令するようにさらに構成され、ここで第2のネットワーク名情報は、任意のネットワーク名および/または任意のネットワーク名に対応するPLMN IDであり、第3のモビリティ管理デバイスは、2G内の回線交換ドメインのモビリティ管理デバイスであり、第2のモビリティ管理デバイスは、2Gネットワーク内のパケット交換ドメインのモビリティ管理デバイスであり、または、第3のモビリティ管理デバイスは、2Gネットワーク内のパケット交換ドメインのモビリティ管理デバイスであり、第2のモビリティ管理デバイスは、2Gネットワーク内の回線交換ドメインのモビリティ管理デバイスである。
【０１７７】
代替として、第2のネットワークが3Gネットワークである場合、送信機902は、第1のネットワーク名情報を第2のネットワーク内の第2のモビリティ管理デバイスに送った後、第2のネットワーク内の第3のモビリティ管理デバイスに、第2のネットワーク名情報をUEへ送らないよう命令するようにさらに構成され、ここで第2のネットワーク名情報は、任意のネットワーク名および/または任意のネットワーク名に対応するPLMN IDであり、第3のモビリティ管理デバイスは、3G内の回線交換ドメインのモビリティ管理デバイスであり、第2のモビリティ管理デバイスは、3Gネットワーク内のパケット交換ドメインのモビリティ管理デバイスであり、または、第3のモビリティ管理デバイスは、3Gネットワーク内のパケット交換ドメインのモビリティ管理デバイスであり、第2のモビリティ管理デバイスは、3Gネットワーク内の回線交換ドメインのモビリティ管理デバイスである。
【０１７８】
さらに、送信機902は、以下のようにして、第2のネットワーク内の第3のモビリティ管理デバイスに、第2のネットワーク名情報をUEへ送らないよう命令するように特に構成され、すなわち、要求メッセージを使って、第3のモビリティ管理デバイスに、第2のネットワーク名情報をUEへ送らないよう命令し、ここで要求メッセージは指示情報を含み、指示情報は、第3のモビリティ管理デバイスに、第2のネットワーク名情報をUEへ送らないよう命令するのに使われる。
【０１７９】
さらに、送信機902は、指示情報を搬送する要求メッセージを送るように特に構成され、ここで指示情報は、第3のモビリティ管理デバイスに、UEへ、ユニバーサルモバイル通信システム地上無線アクセスネットワークE-UTRANモビリティ管理情報EMM informationメッセージ、または汎用パケット無線サービスGPRSモビリティ管理情報GMM informationメッセージもしくはモビリティ管理情報MM informationメッセージを送らないよう命令するのに特に使われる。
【０１８０】
サービスが回線交換フォールバックCSFBサービスである場合、送信機902は、以下のようにして、第1のネットワーク名情報を第2のモビリティ管理デバイスに送るように特に構成され、すなわち
更新要求メッセージまたはサービス要求メッセージを使って、第1のネットワーク名情報を第2のモビリティ管理デバイスに送り、ここで第1のモビリティ管理デバイスは第1のMMEであり、第2のモビリティ管理デバイスは第2のMSC serverであり、または
識別送付メッセージを使って、第1のネットワーク名情報を第2のモビリティ管理デバイスに送り、ここで第1のモビリティ管理デバイスは第1のMSC serverであり、第2のモビリティ管理デバイスは第2のMSC serverである。
【０１８１】
サービスがボイスサービスである場合、送信機902は、以下のようにして、第1のネットワーク名情報を第2のモビリティ管理デバイスに送るように特に構成され、すなわち
ハンドオーバメッセージを使って、第1のネットワーク名情報を第2のモビリティ管理デバイスに送り、ここで第1のネットワークは第1のパケット交換ドメインネットワークであり、第2のネットワークは第2のパケット交換ドメインネットワークであり、または
パケット交換-回線交換PS to CSハンドオーバメッセージを使って、第1のネットワーク名情報を第2のモビリティ管理デバイスに送り、ここで第1のネットワークは第1のパケット交換ドメインネットワークであり、第2のネットワークは第2の回線交換ドメインネットワークであり、または
回線交換-パケット交換CS to PSハンドオーバメッセージを使って、第1のネットワーク名情報を第2のモビリティ管理デバイスに送り、ここで第1のネットワークは第1の回線交換ドメインネットワークであり、第2のネットワークは第2のパケット交換ドメインネットワークであり、または
回線交換-回線交換CS to CSハンドオーバメッセージを使って、第1のネットワーク名情報を第2のモビリティ管理デバイスに送り、ここで第1のネットワークは第1の回線交換ドメインネットワークであり、第2のネットワークは第2の回線交換ドメインネットワークである。
【０１８２】
サービスが回線交換フォールバックCSFBサービスである場合、送信機902は、以下のようにして、および要求メッセージを使って、第3のモビリティ管理デバイスに、第2のネットワーク名情報をUEへ送らないよう命令するように特に構成され、すなわち
位置更新要求メッセージまたはサービス要求メッセージを使って、第3のモビリティ管理デバイスに、第2のネットワーク名情報をUEへ送らないよう命令し、ここで要求メッセージは位置更新要求メッセージまたはサービス要求メッセージであり、第1のネットワークはロングタームエボリューションネットワークであり、第1のモビリティ管理デバイスは第1のMMEであり、第2のモビリティ管理デバイスは第2のSGSNであり、第3のモビリティ管理デバイスは第2のMSC serverであり、または
コンテキスト要求メッセージまたはハンドオーバ要求メッセージを使って、第3のモビリティ管理デバイスに、第2のネットワーク名情報をUEへ送らないよう命令し、ここで要求メッセージはコンテキスト要求メッセージまたはハンドオーバ要求メッセージであり、第1のモビリティ管理デバイスは第1のMMEであり、第2のモビリティ管理デバイスは第2のMSC serverであり、第3のモビリティ管理デバイスは第2のSGSNであり、または
サービスがボイスサービスである場合、送信機902は、以下のようにして、および要求メッセージを使って、第3のモビリティ管理デバイスに、第2のネットワーク名情報をUEへ送らないよう命令するように特に構成され、すなわち
ハンドオーバメッセージを送ることによって、第3のモビリティ管理デバイスに、第2のネットワーク名情報をUEへ送らないよう命令し、ここで要求メッセージはハンドオーバメッセージであり、第1のモビリティ管理デバイスは第1のMMEであり、第2のモビリティ管理デバイスは第2のSGSNであり、第3のモビリティ管理デバイスは第2のMSC serverであり、または
ハンドオーバメッセージを送ることによって、第3のモビリティ管理デバイスに、第2のネットワーク名情報をUEへ送らないよう命令し、ここで要求メッセージはハンドオーバメッセージであり、第1のモビリティ管理デバイスは第1のSGSNであり、第2のモビリティ管理デバイスは第2のMMEであり、第3のモビリティ管理デバイスは第2のMSC serverであり、または
パケット交換-回線交換PS to CSハンドオーバメッセージを送ることによって、第3のモビリティ管理デバイスに、第2のネットワーク名情報をUEへ送らないよう命令し、ここで要求メッセージはPS to CSハンドオーバメッセージであり、第1のモビリティ管理デバイスは第1のMMEであり、第2のモビリティ管理デバイスは第2のMSC serverであり、第3のモビリティ管理デバイスは第2のMMEであり、または
PS to CSハンドオーバメッセージを送ることによって、第3のモビリティ管理デバイスに、第2のネットワーク名情報をUEへ送らないよう命令し、ここで要求メッセージはPS to CSハンドオーバメッセージであり、第1のモビリティ管理デバイスは第1のMMEであり、第2のモビリティ管理デバイスは第2のSGSNであり、第3のモビリティ管理デバイスは第2のMSC serverである。
【０１８３】
加えて、ネットワークデバイスは、メモリ903をさらに含む。
【０１８４】
メモリ903は、第1の構成を記憶するように構成され、ここで第1の構成は、所定のネットワーク名および/または所定のネットワーク名に対応するPLMN IDであり、第1の構成はUEの第2の構成と同じであり、UEは、UEの第2の構成に従ってネットワーク名を表示し、プロセッサ901は、以下のようにして、第1のネットワーク名情報を獲得するように特に構成され、すなわち、メモリ903によって記憶されている第1の構成に対応する第1のネットワーク名情報を獲得し、または
送信機902は、UEに、UE上に現在表示されているネットワーク名を送るようにさらに構成され、メモリは、送信機によって送られたネットワーク名を記憶するように構成され、ここでプロセッサ901は、以下のようにして、第1のネットワーク名情報を獲得するように構成され、すなわち、メモリ903によって記憶されているネットワーク名に対応する第1のネットワーク名情報を獲得する。
【０１８５】
本発明の別の実施形態は、ネットワークデバイスをさらに提供し、このネットワークデバイスは、第2のネットワーク内の第2のモビリティ管理デバイスである。ネットワークデバイスは、上記の本発明の実施形態における、ネットワーク名を表示するための方法を実行することができる。本実施形態では、ネットワークデバイスの構造のみについて、簡単に記載する。具体的な原理については、上記方法実施形態の説明を参照されたい。図10に示すように、ネットワークデバイスは、受信機1001および送信機1002を含む。
【０１８６】
受信機1001は、第1のネットワーク内でサービスを実行するプロセス中に、ユーザ機器UEが、第1のネットワークから第2のネットワークに切り替わった場合、第1のネットワーク内の第1のモビリティ管理デバイスによって送られたネットワーク名情報を受信するように構成され、ここでネットワーク名情報は、UE上に現在表示されているネットワーク名、および/またはUE上に現在表示されているネットワーク名に対応するパブリック・ランド・モバイル・ネットワーク・アイデンティティPLMN IDである。
【０１８７】
送信機1002は、受信機1001によって受信されたネットワーク名情報に対応するネットワーク名を、表示するためにUEに送るように構成される。
【０１８８】
サービスが回線交換フォールバックCSFBサービスである場合、受信機1001は、以下のようにして、第1のモビリティ管理デバイスによって送られたネットワーク名情報を受信するように特に構成され、すなわち
更新要求メッセージまたはサービス要求メッセージを使って、第1のモビリティ管理デバイスによって送られたネットワーク名情報を受信し、ここで第1のモビリティ管理デバイスはモビリティ管理エンティティMMEであり、第2のモビリティ管理デバイスはモバイル交換センターサーバである第2のMSC serverであり、または
識別送付メッセージを使って、第1のモビリティ管理デバイスによって送られたネットワーク名情報を受信し、ここで第1のモビリティ管理デバイスは第1のMSC serverであり、第2のモビリティ管理デバイスは第2のMSC serverである。
【０１８９】
サービスがボイスサービスである場合、受信機1001は、以下のようにして、第1のモビリティ管理デバイスによって送られたネットワーク名情報を受信するように特に構成され、すなわち
ハンドオーバメッセージを使って、第1のモビリティ管理デバイスによって送られたネットワーク名情報を受信し、ここで第1のネットワークは第1のパケット交換ドメインネットワークであり、第2のネットワークは第2のパケット交換ドメインネットワークであり、または
パケット交換-回線交換PS to CSハンドオーバメッセージを使って、第1のモビリティ管理デバイスによって送られたネットワーク名情報を受信し、ここで第1のネットワークは第1のパケット交換ドメインネットワークであり、第2のネットワークは第2の回線交換ドメインネットワークであり、または
回線交換-パケット交換CS to PSハンドオーバメッセージを使って、第1のモビリティ管理デバイスによって送られたネットワーク名情報を受信し、ここで第1のネットワークは第1の回線交換ドメインネットワークであり、第2のネットワークは第2のパケット交換ドメインネットワークであり、または
回線交換-回線交換CS to CSハンドオーバメッセージを使って、第1のモビリティ管理デバイスによって送られたネットワーク名情報を受信し、ここで第1のネットワークは第1の回線交換ドメインネットワークであり、第2のネットワークは第2の回線交換ドメインネットワークである。
【０１９０】
本実施形態におけるネットワークデバイスは、上記の実施形態における方法を実行することができる。詳細については、上記の実施形態における説明を参照されたい。さらに、ネットワークデバイスによって達成され得る技術的効果は上記の実施形態のものと同じであり、詳細については、ここでは繰り返しては記載しない。
【０１９１】
さらに、本発明の実施形態は、通信システムをさらに提供し、この通信システムは、上記の実施形態における2つのネットワークデバイスを含む。ネットワークデバイスの具体的な構造および機能については、上記の実施形態を参照し、詳細については、ここでは繰り返しては記載しない。
【０１９２】
本発明の別の実施形態は、MMEをさらに提供し、MMEは第1のネットワーク内の第1のモビリティ管理デバイスである。MMEは、上記の本発明の実施形態における、ネットワーク名を表示するための方法を実行することができる。本実施形態では、MMEの構造のみについて、簡単に記載する。具体的な原理については、上記方法実施形態の説明を参照されたい。図11に示すように、MMEは、プロセッサ1101および送信機1102を含む。
【０１９３】
プロセッサ1101は、複合接続手順または複合追跡エリア更新手順のプロセス中に、第1のネットワークに対応するパブリック・ランド・モバイル・ネットワーク・アイデンティティPLMN IDが属す事業者が、第2のネットワークに対応するPLMN IDが属す事業者と同じかどうか判断し、異なる場合、送信機1102に、ネットワーク名情報を送るよう命令するように構成される。
【０１９４】
送信機1102は、ネットワーク名情報をユーザ機器UEに送るように構成され、そうすることによって、UEは、ネットワーク名情報に対応するネットワーク名を表示し、ここで第1のネットワークおよび第2のネットワークは、UEが複合接続手順または複合追跡エリア更新手順中に共同で登録するネットワークであり、第1のネットワークはロングタームエボリューションLTEネットワークであり、第2のネットワークは2Gネットワークまたは3Gネットワークである。
【０１９５】
さらに、送信機1102は、以下のようにして、ネットワーク名情報をUEに送るように特に構成され、すなわち、ユニバーサルモバイル通信システム地上無線アクセスネットワークE-UTRANモビリティ管理情報EMM informationメッセージを使って、ネットワーク名情報をUEに送る。
【０１９６】
さらに、送信機1102は、ネットワーク名情報をUEに送った後、UEが、サービスを実行するプロセス中に第2のネットワークに切り替わった場合、第2のネットワーク内の第1のモビリティ管理デバイスにネットワーク名情報を送るようにさらに構成され、そうすることによって第2のネットワーク内の第1のモビリティ管理デバイスは、ネットワーク名情報に対応するネットワーク名を、表示するためにUEに送り、または
送信機1102は、ネットワーク名情報をUEに送った後、UEが、サービスを実行するプロセス中に第2のネットワークに切り替わった場合、第3のネットワーク内の第2のモビリティ管理デバイスにネットワーク名情報を送るようにさらに構成され、そうすることによって第3のネットワーク内の第2のモビリティ管理デバイスは、ネットワーク名情報に対応するネットワーク名を、表示するためにUEに送る。
【０１９７】
上記の本発明の実施形態の各々において提供されるネットワークデバイスおよびMMEは、上記のモジュールに加え、無線周波数プロセッサ、電力コントローラ、および別の部分をさらに含んでよく、本発明の実施形態は、すべてが、上記のモジュールのみを含むように限定されるわけではないことに留意されたい。
【０１９８】
ネットワークデバイスおよびMMEの上記の実施形態において、機能モジュールの分割は、説明のための例にすぎないことに留意されたい。実際の適用では、上記の機能は、要件による、たとえば、対応するハードウェア構成要件による完成のために、またはソフトウェア実装を容易にするために、異なる機能モジュールに割り振ることができる。すなわち、ユーザ機器および拠点局の内部構造は、上述した機能の全部または一部を完成するために、異なる機能モジュールに分割される。
【０１９９】
実施形態における方法のステップの全部または一部は、関連ハードウェアに命令するプログラムによって実装され得ることが、当業者には理解できよう。プログラムは、コンピュータ可読記憶媒体に記憶することができる。記憶媒体は、読出し専用メモリ(ROM、Read-Only Memory)、ランダムアクセスメモリ(RAM、Random Access Memory)、磁気ディスク、または光ディスクを含み得る。
【０２００】
上記では、本発明の実施形態において提供される方法、ユーザ機器、および基地局を詳しく紹介している。本発明の原理および実装方式を記載するために、具体例が、本明細書において使われている。上記の実施形態の説明は、本発明の方法および核となる概念を理解するのを助けることを意図しているにすぎない。さらに、具体的な実装方式および適用範囲を参照して、本発明の概念に従って、当業者によって修正が行われてよい。したがって、本明細書の内容は、本発明に対する限定と企図されるべきでない。
【符号の説明】
【０２０１】
601  獲得モジュール
602  送付モジュール
603  記憶モジュール
701  受信モジュール
702  送付モジュール
801  判断モジュール
802  送付モジュール
901  プロセッサ
902  送信機
903  メモリ
1001  受信機
1002  送信機
1101  プロセッサ
1102  送信機
【図１】
0006052833.tif 000002
【図２】
0006052833.tif 000003
【図３】
0006052833.tif 000004
【図４】
0006052833.tif 000005
【図５】
0006052833.tif 000006
【図６】
0006052833.tif 000007
【図７】
0006052833.tif 000008
【図８】
0006052833.tif 000009
【図９】
0006052833.tif 000010
【図１０】
0006052833.tif 000011
【図１１】
0006052833.tif 000012